(57)【要約】【課題】優れた吸収性及び流体取扱い性を示す、改良された吸収性物品を提供する。【解決手段】使い捨ての吸収性物品の吸収性の芯複合材が、開示される。吸収性複合材は、第１の織物と、本体側の第２の織物と、第１の織物、第２の織物の間に位置する複数の超吸収性粒子（ＳＡＰ）凝集体とを有する。複数のＳＡＰ凝集体の各々の周りで、離間した結合部位の配置が、第２の織物を第１の織物に固着し、且つＳＡＰ凝集体が第１の織物及び第２の織物の間に固着されるポケットを形成する。本体側の第２の織物は、ＳＡＰ凝集体内に少なくとも幾つかの粒子を絡ませる繊維を含む嵩高い不織布である。【選択図】なし【特許請求の範囲】
【請求項１】
使い捨ての吸収性物品の吸収性の芯複合材であって、
第１の織物と、
身体側の第２の織物と、
前記第１及び第２の織物の間に位置する複数の超吸収性粒子（ＳＡＰ）凝集体とを含み、
複数の前記ＳＡＰ凝集体の各々の周りで、離間した結合部位の配置が、前記第２の織物を前記第１の織物に固着し、且つ前記ＳＡＰ凝集体が前記第１の織物及び前記第２の織物の間に固着されるポケットを形成し、
前記ＳＡＰ凝集体の周りの離間した結合部位が、前記ポケットの１つを隣接する前記ポケットと連通させる結合部位間に間隙を提供し、
前記身体側の第２の織物が、前記ＳＡＰ凝集体内で少なくともいくつかの粒子を絡ませる繊維を含む嵩高い不織布である吸収性の芯複合材。
【請求項２】
各前記ＳＡＰ凝集体は、吸収性マトリックスがない請求項１に記載の吸収性の芯複合材。
【請求項３】
前記ＳＡＰ凝集体が、超吸収性粒子からなる請求項１に記載の吸収性の芯複合材。
【請求項４】
前記第２の織物が、超吸収性粒子の上層で前記ＳＡＰ凝集体に浸透する繊維を含み、前記ＳＡＰ凝集体は、吸収性マトリックスがない請求項１に記載の吸収性の芯複合材。
【請求項５】
第１の織物に塗布され、且つ前記第１の織物に隣接した前記ＳＡＰ凝集体内の粒子の下層に位置決めされる前記ＳＡＰ凝集体の超吸収性粒子と接着接触し、前記ＳＡＰ凝集体の超吸収性粒子を少なくとも部分的に固着する接着パターンを更に含む請求項１に記載の吸収性の芯複合材。
【請求項６】
前記第１の織物に塗布される前記接着パターンが、接着剤のない開放領域を画定する複数の交差するループを含む請求項５に記載の吸収性の芯複合材。
【請求項７】
接着剤のない前記開放領域が、一般に前記接着パターン上に位置する前記ポケットの幅又は直径よりも小さい幅又は直径を有する請求項１に記載の吸収性の芯複合材。
【請求項８】
前記嵩高い不織布の第２の織物が、１，０００μｍ〜５，０００μｍの厚さと、０．０２ｇ／ｃｃ〜０．０７ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項１に記載の吸収性の芯複合材。
【請求項９】
前記嵩高い不織布が、ポリプロピレン（ＰＰ）、ポリエチレン（ＰＥ）、ポリエチレンテレフタレート（ＰＥＴ）、ポリ乳酸（ＰＬＡ）、ポリオレフィン、そのコポリマー、及びその組合せからなる群から選択される繊維を含み、且つ前記繊維が、親水性の処理された繊維である請求項８に記載の吸収性複合材。
【請求項１０】
前記第１の織物が、不織材料であり、且つ前記第１及び第２の織物が、細長い積層体を少なくとも部分的に画定し、前記細長い積層体が、横幅と、長手方向幅と、前記細長い積層体の横中心線及び長手方向中心線の交差の周りに位置決めされる中心領域とを有する請求項１０に記載の吸収性複合材。
【請求項１１】
前記結合部位が、菱形ポケットの格子を画定する複数の交差線を形成する請求項１０に記載の吸収性複合材。
【請求項１２】
前記結合部位が、成形ポケットの格子を画定する複数の交差線を形成し、前記長手方向中心線から前記積層体の側部マージンに向かって延在する、一連のポケットによって画定される全ての直線が、前記長手方向中心線から６０度未満の角度で配向される請求項１０に記載の吸収性複合材。
【請求項１３】
前記複数のポケットが、液体吸込みの感度が高い表面トポグラフィを示す特性を前記積層体に与える、異なる膨潤容量のポケットを含む請求項１０に記載の吸収性複合材。
【請求項１４】
前記複数のポケットが、異なる膨潤容量のポケットを含み、前記中心領域のポケットが、前記中心領域の外側のポケットよりも低い膨潤容量を有する請求項１０に記載の吸収性複合材。
【請求項１５】
前記中心領域内の前記複数のポケットが、前記中心領域の外側のポケットよりも小さい請求項１０に記載の吸収性複合材。
【請求項１６】
前記結合部位が、断続的結合点である請求項１に記載の吸収性複合材。
【請求項１７】
各前記織物が、接着剤のない開放領域を画定するループを有する接着パターンで予め塗布され、
前記ＳＡＰ凝集体に、パルプがなく、且つ吸収性マトリックスがない請求項１に記載の吸収性複合材。
【請求項１８】
使い捨ての吸収性物品用の吸収性複合材積層体を製造する方法であって、
第１の織物を超吸収性粒子（ＳＡＰ）を受ける位置に運搬すること、
ＳＡＰを前記第１の織物上に堆積させ、ＳＡＰの離散凝集体を提供すること、
嵩高い不織布の第２の織物を運搬すること、
前記嵩高い不織布の繊維が、ＳＡＰ凝集体の粒子の上層内に粒子を絡ませ、それによりその間にＳＡＰ凝集体を少なくとも部分的に固着するように、前記第２の織物を第１の織物に対して位置決めすること、
前記第１及び第２の織物を結合部位網で結合し、ＳＡＰ凝集体の複数のポケットを有する細長い積層体を形成し、それにより各ポケットが、ＳＡＰ凝集体の周りに位置決めされ、且つ前記第２の織物を前記第１の織物に固着する結合部位によって画定されること、並びに
前記細長い積層体を運搬し、それにより前記嵩高い不織布及び前記ポケットは、前記ポケットからのＳＡＰ粒子の移動を阻害することを含む方法。
【請求項１９】
前記ＳＡＰ凝集体に、吸収性マトリックスがないにように、前記堆積ＳＡＰは、吸収性マトリックスがない請求項１８に記載の方法。
【請求項２０】
前記織物を前記運搬する前に、前記第１の織物に接着パターンを塗布することが先行して、前記第１の織物上に前記超吸収性粒子を堆積させることが、予め塗布された接着パターンを有する前記第１の織物上に複数のＳＡＰ凝集体を送出することを含むようにする請求項１８に記載の方法。
【請求項２１】
前記接着剤を塗布することが、接着剤を、接着剤のない囲まれた開放領域を有する連続した開放パターンに塗布することを含む請求項２０に記載の方法。
【請求項２２】
前記開放領域が、前記ポケットの平均幅よりも小さい平均幅を有する請求項２１に記載の方法。
【請求項２３】
前記第２の織物を前記第１の織物に対して位置決めする前に、前記第２の織物に接着パターンを塗布することを更に含む請求項２３に記載の方法。
【請求項２４】
流体通過のために間に間隙を有する離間した結合部位によって境界を示されるポケットを製造するために、前記結合が、前記ＳＡＰ凝集体の周りでの不連続結合部位の配置を使用して、前記織物を結合することを含む請求項１８に記載の方法。
【請求項２５】
結合部位の配置が、前記細長い積層体の長手方向中心線に垂直な線から１５度超、偏向した角度で積層体の側部マージンに向かって全体に横方向に向けられる真っ直ぐな結合線を特徴とする格子を形成する請求項２４に記載の方法。
【請求項２６】
結合部位の配置が、菱形ポケットを形成する請求項２５に記載の方法。
【請求項２７】
前記結合が、第１の織物上のＳＡＰ凝集体の配置に対応するエンボス加工パターンを提供することを含み、前記エンボス加工パターンが、結合中にＳＡＰ凝集体を取り囲む不連続結合部位の配置を示すことを含む請求項２４に記載の方法。
【請求項２８】
前記パターンが、前記側部マージンへのいかなる直接的な直線経路もない格子を含む請求項２７に記載の方法。
【請求項２９】
前記嵩高い不織布の第２の織物が、３００μｍよりも大きい有効細孔径を有し、且つＳＡＰ粒子の平均粒径が、約３００μｍである請求項１８に記載の方法。
【請求項３０】
前記嵩高い不織布の第２の織物が、１，０００μｍ〜５，０００μｍの厚さと、０．０２ｇ／ｃｃ〜０．０７ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項１８に記載の方法。
【請求項３１】
前記嵩高い不織布が、ポリプロピレン（ＰＰ）、ポリエチレン（ＰＥ）、ポリエチレンテレフタレート（ＰＥＴ）、ポリ乳酸（ＰＬＡ）、ポリオレフィン、そのコポリマー、及びその組合せからなる群から選択される繊維を含み、且つ前記繊維が、親水性の処理された繊維である請求項３０に記載の方法。
【請求項３２】
前記第１の織物に前記超吸収性粒子を堆積させることと無関係に、前記第１の織物の選択領域に超吸収性粒子を更に堆積させ、前記選択領域での前記第１及び第２の織物の結合後に形成されたＳＡＰ凝集体のポケットが、前記選択領域の外側のポケットよりも高いＳＡＰ凝集体濃度を含むようにすることを更に含む請求項１８に記載の方法。
【請求項３３】
前記結合部位が、その間に、且つ隣接するポケット間に流体間隙を画定する離間した結合点である請求項１８に記載の方法。
【請求項３４】
使い捨ての吸収性物品を製造する方法であって、
第１の織物を超吸収性粒子（ＳＡＰ）を受ける位置に運搬すること、
超吸収性粒子を前記第１の織物上に堆積させ、吸収性マトリックスのないＳＡＰの離散凝集体を提供すること、
嵩高い不織布の第２の織物を運搬すること、
前記嵩高い不織布の繊維が、前記ＳＡＰ凝集体の粒子の上層内で粒子を絡ませ、それによりＳＡＰ凝集体を少なくとも部分的に固着するように、前記第２の織物を第１の織物に対して位置決めすること、
前記第１及び第２の織物を結合部位網で結合し、ＳＡＰ凝集体の複数のポケットを有する細長い吸収性の芯積層体を形成し、それにより各ポケットが、ＳＡＰ凝集体の周りに位置決めされ、且つ前記第２の織物を前記第１の織物に固着する結合部位によって画定されること、
前記細長い積層体を運搬し、それにより前記嵩高い不織布及び前記ポケットは、前記ポケットからのＳＡＰ粒子の移動を阻害すること、
上部シート及び背面シートの間に前記細長い芯積層体を置き、それにより前記上部シート、背面シート、及び吸収性の芯積層体の芯エンベロープを形成し、前記上部シート及び背面シートが、前記吸収性の芯積層体を支持するシャーシを更に提供すること、
前記シャーシ内にレッグホールを形成すること、並びに
前記シャーシの端部領域を接合し、使い捨ての吸収性物品を形成し、それにより前記嵩高い不織布及び前記ポケットが、前記ポケットからのＳＡＰ粒子移動を阻害することを含む方法。
【請求項３５】
前記織物を前記運搬する前に、前記第１の織物に接着パターンを塗布することが先行する請求項３４に記載の方法。
【請求項３６】
前記接着剤を塗布することが、接着剤を、接着剤のない囲まれた開放領域を有する連続した開放パターンに塗布することを含み、且つ前記開放領域が、前記ポケットの平均幅よりも小さい平均幅を有する請求項３５に記載の方法。
【請求項３７】
流体通過のために間に間隙を有する離間した結合点によって境界を示されるポケットを製造するために、前記結合が、前記ＳＡＰ凝集体の周りでの結合点の配置を使用して、前記織物を結合することを含む請求項３４に記載の方法。
【請求項３８】
前記結合点の配置が、細長い積層体の長手方向中心線から９０度未満の角度で、前記積層体の側部マージンに向かって全体に横方向に向けられる結合点を取る線を特徴とする格子を形成する請求項３４に記載の方法。
【請求項３９】
使い捨ての吸収性物品であって、
第１の端部マージン及び前記第１の端部マージンから長手方向に離間される第２の端部マージンによって画定されるシャーシ本体であって、前記端部マージンが、使用者のウエストの周りで締め付け可能な前及び後ウエスト領域を部分的に画定するシャーシ本体と、  上部シートと、
背面シートと、
前記上部シート及び背面シートの間に配置される吸収性複合材とを含み、前記吸収性複合材が、
第１の織物と、
前記第１の織物に結合された第２の織物と、
前記第１及び第２の織物の間に固着された吸収性粒子とを含み、
前記第１の織物が、前記第２の織物に断続的に取り付けられ、前記第１の織物及び前記第２の織物の間に置かれ、且つ超吸収性粒子（ＳＡＰ）の凝集体を含む複数のポケットを画定し、
不連続で、且つ離間した結合部位が、前記第１の織物を前記第２の織物と固着し、
前記第２の織物が、前記吸収性複合材の身体側に、且つＳＡＰ凝集体の上に位置決めされた嵩高い不織布材料であり、嵩高い不織布の繊維が超吸収性粒子を絡ませるようにし、
前記嵩高い不織布材料の下から延在する中間部で、前記ＳＡＰ凝集体に、吸収性マトリックスがない使い捨ての吸収性物品。
【請求項４０】
前記ＳＡＰ凝集体が、ＳＡＰからなる請求項３９に記載の使い捨ての吸収性粒子。
【請求項４１】
前記吸収性複合材が、前記第１の織物に予め塗布された接着パターンを含む請求項３９に記載の使い捨ての吸収性物品。
【請求項４２】
前記第１の織物が、不織材料であり、且つ前記第１及び第２の織物が、横幅と、長手方向幅と、横中心線及び長手方向中心線の交差の周りに位置決めされた中心領域とを有する細長い積層体を少なくとも部分的に画定し、且つ前記複数のポケットが、前記積層体の長手方向範囲に隣接した長手方向端部領域に近接するポケットよりも大きな超吸収性粒子の濃度を有する前記中心領域に置かれるポケットを含む請求項３９に記載の使い捨ての吸収性物品。
【請求項４３】
前記結合部位が、菱形ポケットの格子を画定する複数の交差線を形成する請求項３９に記載の使い捨ての吸収性物品。
【請求項４４】
前記結合部位が、成形ポケットの格子を画定する複数の交差線を形成し、前記長手方向中心線から前記積層体の側部マージンに向かって延在する、一連のポケット内の結合部位を通る全ての直線が、前記長手方向中心線から６０度未満の角度で配向される請求項３９に記載の使い捨ての吸収性物品。
【請求項４５】
前記吸収性複合材が、砂時計形を有するように、前記吸収性複合材が、各側部マージンに沿って凹部を含む請求項３９に記載の使い捨ての吸収性物品。
【請求項４６】
嵩高い不織布基材と、
前記嵩高い不織布基材と結合された上部織物と、
その間に固着された超吸収性粒子（ＳＡＰ）の層であって、前記ＳＡＰを前記嵩高い不織布基材及び前記上部織物と相互に固着するために、前記ＳＡＰをちりばめられたホットメルト接着剤を含む層とを含む吸収性複合材。
【請求項４７】
前記嵩高い不織布が、１，０００μｍ〜５，０００μｍの厚さと、０．０２ｇ／ｃｃ〜０．０８ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項４６に記載の吸収性複合材。
【請求項４８】
前記上部織物が、組織層である請求項４６に記載の吸収性複合材。
【請求項４９】
前記ＳＡＰが、前記嵩高い不織布基材及び前記上部織物の間の平面に沿って配置される請求項４６に記載の吸収性複合材。
【請求項５０】
前記嵩高い不織布基材及び前記上部織物の間の結合が、ＳＡＰを取り囲む幾何学的囲いの結合パターンを画定する請求項４６に記載の吸収性複合材。
【請求項５１】
吸収性複合材を製造する方法であって、
不織布材料の第１の基材を運搬すること、
ホットメルト接着剤粒子との超吸収性粒子（ＳＡＰ）の混合物を前記運搬された第１の基材に送出すること、
前記混合物を有する前記第１の基材が運搬される時、前記第１の基材に熱を加え、それによりホットメルト接着剤粒子を活性化し、且つ前記ＳＡＰを前記ホットメルト粒子及び前記第１の基材と結合すること、並びに
第２の基材を前記第１の基材及びそれと結合されたＳＡＰ層の上に適用することを含む方法。
【請求項５２】
吸収性複合材積層体を製造するために、前記第１の基材を前記第２の基材と結合することを更に含む請求項５１に記載の方法。
【請求項５３】
前記吸収性複合材積層体上に結合パターンを作り出すために、前記結合が、熱エンボス加工を使用することを含む請求項５２に記載の方法。
【請求項５４】
前記第１の基材が、嵩高い不織布材料である請求項５１に記載の方法。
【請求項５５】
前記嵩高い不織布が、１，０００μｍ〜５，０００μｍの厚さと、０．０２ｇ／ｃｃ〜０．０７ｇ／ｃｃの密度と、３０ｇ／ｍ2〜８０ｇ／ｍ2の坪量と、０．０２ｇ／ｃｃ〜０．０７ｇ／ｃｃの密度と、３００μｍを超える有効細孔径とを有する請求項５４に記載の方法。
【請求項５６】
前記ホットメルト粒子及び前記ＳＡＰが、１〜１０質量％のホットメルト接着剤の比率で混合される請求項５１に記載の方法。
【請求項５７】
使い捨ての吸収性物品であって、
第１の端部マージン及び前記第１の端部マージンから長手方向に離間される第２の端部マージンによって画定されるシャーシ本体であって、前記端部マージンが、使用者のウエストの周りで締め付け可能な前及び後ウエスト領域を部分的に画定するシャーシ本体と、  上部シートと、
背面シートと、
前記上部シート及び背面シートの間に配置される吸収性複合材とを含み、前記吸収性複合材が、
第１の織物と、
前記第１の織物に結合された第２の織物と、
前記第１及び第２の織物の間に接着された吸収性粒子とを含み、
前記第１の織物が、前記第２の織物に断続的に取り付けられ、前記第１の織物及び前記第２の織物の間に置かれ、且つ吸収性粒子の凝集体を含む複数の容器を画定し、
前記吸収性複合材が、第１の寸法の容器を有する一次領域と、前記第１の寸法と異なる第２の寸法の複数の容器を有する二次領域とを含む、吸収性粒子凝集体の容器の領域を含み、
前記上部シート及び前記背面シートが、前記シャーシ本体の長手方向及び横方向のマージンを画定する使い捨ての吸収性物品。
【請求項５８】
前記一次領域が、前記物品のクロッチ領域に対応し、前記クロッチ領域が、前記シャーシ本体の長手方向マージンの中間で、中心に位置し、且つ前記吸収性粒子が、超吸収性粒子である請求項５７に記載の使い捨ての吸収性衣類。
【請求項５９】
前記一次領域の容器が、前記二次領域内の容器の周囲の長さよりも大きい周囲の長さを有する請求項５８に記載の使い捨ての吸収性衣類。
【請求項６０】
前記二次領域の容器が、前記一次領域を取り囲む請求項５９に記載の使い捨ての吸収性衣類。
【請求項６１】
前記吸収性複合材が、二次領域内の容器の寸法と異なる寸法の容器を有する端部領域を更に含み、且つ前記二次領域が、前記一次領域及び端部領域の中間である請求項６０に記載の使い捨ての吸収性衣類。
【請求項６２】
前記端部領域の各々が、前記二次領域内の容器の周囲の長さよりも実質的に小さい周囲の長さを有する容器を有する請求項６１に記載の使い捨ての吸収性衣類。
【請求項６３】
前記端部領域の容器が、前記二次領域内の容器の周囲の長さよりも大きい周囲の長さを有する請求項６１に記載の使い捨ての吸収性衣類。
【請求項６４】
前記一次領域が、第２クラスの容器を更に含み、前記第２クラスの容器が、第１クラスの容器よりも実質的に小さい周囲の長さを有し、且つ前記第２クラスの容器が、前記第１クラスの隣接した容器間の空隙を満たすように位置決めされる請求項６１に記載の使い捨ての吸収性衣類。
【請求項６５】
第１の寸法の前記容器が、前記第２の寸法の容器よりも高い超吸収性粒子の濃度を有する請求項６４に記載の使い捨ての吸収性衣類。
【発明の詳細な説明】
【技術分野】
【０００１】
本出願は、その開示が、あらゆる目的のために参照により本明細書に組み込まれ、本開示の一部とされる、２０１３年３月１５日に出願された米国仮出願第６１／８０１，６２０号（係属中）の利益を主張する。
本開示は、一般に吸収性複合材（又は吸収性の芯の積層体）、及び吸収性複合材の製造方法に関する。本発明はまた、一般に吸収性複合材を用いる使い捨ての吸収性物品及びその製造方法にも関する。かかる使い捨ての吸収性物品は、おむつ、トレーニングパンツ、成人用失禁製品、身体滲出物吸収製品、女性用衛生用品及び他の吸収性製品（総称して「使い捨ての吸収性物品」及び「使い捨ての吸収性製品」）を含む。
【背景技術】
【０００２】
使い捨ての吸収性物品は、３つの基本的構造要素を典型的に用いる。すなわち、内面を形成する上部シートと、外面を形成する背面シートと、上部シート及び背面シートの間に置かれる吸収性の芯である。上部シートは、液体が、吸収性物品の外側から上部シートを通って、且つ吸収性の芯へ通過することを可能にするように設計される。上部シートは、一連の液体及び蒸気透過性の親水性又は疎水性材料で作られても良い。上部シートの透過性は、表面活性化剤（「界面活性剤」）を使用することによって増加できる。界面活性剤は、液固界面の接触角の表面エネルギーを減少させ、且つ液体の上部シートの通過を容易にする。
背面シートは、流体が吸収性の芯から背面シートを通り、且つ吸収性物品から外に通過することを妨げるように設計される。背面シートは、物品、又は布状材料及び不透過性フィルムの組合せの全幅に延在する不透過性フィルムで作られても良い。背面シートは、吸収性の芯内に貯蔵された流体を解放せずに、蒸気が背面シートを通過することを可能にする透湿性（「通気性」）も有しても良い。背面シートは、スパンボンド、メルトブロー、スパンボンド（「ＳＭＳ」）；スパンボンド、メルトブロー、メルトブロー、スパンボンド（「ＳＭＭＳ」）；マイクロ、ナノ、又は分割性繊維；スパンメルト又はスパンレース；カード等のような、液体不透過性であるが透湿性不織材料から作られても良い。
【０００３】
吸収性の芯は、上部シートを通過する流体を含み、且つ分配するように設計される。典型的な吸収性の芯は、吸収性マトリクスによって安定化する高又は超吸収性ポリマー（ＳＡＰ）で作られる。ＳＡＰは、一般にポリビニルアルコール、ポリアクリレート、種々のグラフト化でんぷん、及び架橋ポリアクリル酸ナトリウムのような材料で作られる。ＳＡＰは、粒子、繊維、発泡体、ウェブ、球体、規則的又は不規則な形状の凝集体、及びフィルムの形であっても良い。吸収性マトリックスは、概して離解された木材パルプ又は類似の材料である。吸収性マトリックスは、上部シート、背面シート及びＳＡＰに対して非常に嵩高い。おむつの厚さの大部分は、吸収性の芯によってもたらされる。
次第に、吸収性物品の消費者は、より薄い吸収性物品を求めている。これらの要求を満たすために、製造業者は、吸収性の芯に使用される吸収性マトリックスの量を減少させることによって吸収性物品の厚さを減少させている。結果として生じた吸収性の芯は薄いが、性能に劣る。吸収性マトリックス量が減少するにつれ、ＳＡＰを安定化させることにおける効果が弱まる−ＳＡＰが、吸収性の芯内を移動することを妨げる。ＳＡＰが、芯内を移動するにつれ、吸収性の芯は、その有効性を喪失し、且つ均一な吸収性をもはや有さない。例えば、含まれないＳＡＰは、湿った領域に集まる傾向があり、且つその後の排出を取り扱うためには、役に立たない。
【０００４】
製造業者は、小さい個別のＳＡＰポケットを作り出すことによって、又はＳＡＰを接着することによってこの問題を解決しようと試みた。しかし、これらの解決策は、大部分が失敗であった。ＳＡＰポケットは、ポケット内の動きに対する移動を限定するに過ぎない。しかし、粒子の動きがなおもあるので、吸収性の芯は、均一な吸収性を示さない。ＳＡＰを接着することは、ＳＡＰを安定化させるが、不快なほど堅い吸収性の芯、及びＳＡＰの膨潤能力損失をもたらす。出願人は、ＳＡＰを含む方法の多くが、ＳＡＰ及び吸収性の芯の吸込みを受け且つ分配する能力に悪影響を及ぼし得ることも発見した。
【０００５】
したがって、製品の堅さを最小限に抑え、且つ別の方法で優れた吸収性及び流体取扱い性を示しながら、製品の厚さを減少させる傾向を継続する改良された吸収性製品が必要である。同一出願人による、且つ本出願と共通の少なくとも１人の発明者を指定する米国特許第８，１４８，５９８号明細書は、技術水準に対する先行する改良を記載し、且つ本開示の背景の役割を果たす。’５９８号特許文献は、あらゆる目的のために全体が参照によって本明細書に組み込まれ、且つ本開示の一部とされる。本開示は、ある点において改良された吸収性製品及び製造方法を提供する努力を継続し、且つ推進すると見られても良い。
【発明の概要】
【０００６】
一態様において、本開示は、改良された吸収性複合材及び複合材を製造する方法を提供する。吸収性複合材の組成又は構成要素の配置に焦点を合わせた実施形態が、開示される。一実施形態において、使い捨ての吸収性物品の吸収性の芯複合材は、第１の織物と、本体側の第２の織物と、第１の織物、第２の織物の間に位置する複数の超吸収性粒子（ＳＡＰ）凝集体とを有する。複数のＳＡＰ凝集体の各々の周りで、離間した結合部位の配置が、第２の織物を第１の織物に固着し、且つＳＡＰ凝集体が第１の織物及び第２の織物の間に固着されるポケットを形成する。本体側の第２の織物は、ＳＡＰ凝集体内に少なくともいくつかの粒子を絡ませる繊維を含む嵩高い不織布である。好ましい実施形態において、接着剤のパターンは、第１の織物上に予め塗布できる（例えば、接着剤のない開放領域を画定する複数の交差するループを有するパターン）。
【０００７】
別の態様において、使い捨ての吸収性物品用の吸収性複合積層体を製造する方法が開示される。方法は、第１の織物を超吸収性粒子（ＳＡＰ）を受ける位置に運搬し、且つＳＡＰを第１の織物上に堆積させ、ＳＡＰの離散凝集体を提供することを含む。嵩高い不織布の第２の織物は、次に運搬され、且つ嵩高い不織布の繊維が、ＳＡＰ凝集体の粒子の上層内に粒子を絡ませるように第１の織物に対して位置決めする。これは、ＳＡＰ凝集体をその間に少なくとも部分的に固着する。第１及び第２の織物は、次に結合部位網で結合され、ＳＡＰ凝集体の複数のポケットを有する細長い積層体を形成し、それにより各ポケットは、ＳＡＰ凝集体の周りに位置決めされ、且つ第２の織物を第１の織物に固着する結合部位によって画定され、且つ細長い積層体を運搬し、それにより嵩高い不織布及びポケットは、前記ポケットからのＳＡＰ粒子の移動を阻害する。好ましい実施形態において、結合部位は、結合点であり、且つ／又は結合部位は、菱形ポケット及び対応する格子を、側部マージンへのいかなる直接的な直線路もなしに形成する。
【０００８】
第１の端部マージン及び第１の端部マージンから長手方向に離間される第２の端部マージンによって画定されるシャーシ本体を有する使い捨ての吸収性物品が、同様に開示され、端部マージンは、使用者のウエストの周りで締め付け可能な前及び後ウエスト領域を部分的に画定する。物品は、上部シートと、背面シートと、上部シート及び背面シートの間に配置された吸収性複合材とを更に含む。吸収性複合材は、第１の織物と、前記第１の織物に結合された第２の織物と、第１及び第２の織物の間に固着された吸収性粒子とを含む。第１の織物は、第１の織物及び第２の織物の間に位置し、且つ超吸収性粒子（ＳＡＰ）の凝集体を含む複数のポケットを画定するために第２の織物に断続的に取り付けられ、不連続の、且つ離間された結合部位は、第１の織物を第２の織物と固着する。第２の織物は、吸収性複合材の本体側に、且つＳＡＰ凝集体の上に位置決めされた嵩高い不織布材料であり、嵩高い不織布の繊維が、超吸収性粒子を絡ませるようにしており、ＳＡＰ凝集体は、嵩高い不織布材料の下から延在する中間部分に吸収性マトリックスを有さない。
【０００９】
別の形態において、嵩高い不織布基材と、嵩高い不織布基材と結合された上部織物と、その間に固着された超吸収性粒子（ＳＡＰ）の層とを有する吸収性複合材が、開示される。更に、ホットメルト接着剤が、ＳＡＰによってまき散らされ、ＳＡＰを嵩高い不織布基材及び上部織物と相互に固着する。上部織物は、好ましい実施形態において組織材料であっても良い。
なおも別の態様において、吸収性複合材を製造する方法が、開示される。方法は、不織布材料の第１の基材を運搬し、ホットメルト接着粒子との超吸収性粒子（ＳＡＰ）の混合物を運搬された第１の基材に送出し、且つ混合物を有する第１の基材が運搬される時、第１の基材に熱を加え、それによりホットメルト接着粒子を活性化し、且つＳＡＰをホットメルト粒子及び第１の基材と結合することを含む。第２の基材は、次に第１の基材及びそれと結合されたＳＡＰ層の上に貼り付けられる。
吸収性粒子の凝集体が、上層及び下層の間に、且つ複合材又は芯の空間にわたって戦略的に置かれ、且つ／又は構成される種々の実施形態が開示される。凝集体の位置又は凝集体に関する制約を変動させることによって、吸収性複合材の性能及び能力は、管理又は影響を及ぼされ得る。いくつかの実施形態において、吸収性粒子の凝集体は、容器又はポケット内に位置する。更なる実施形態において、容器又はポケットの寸法、間隔、配置、及び／又は幾何学的配列又は形状は、いくつかの芯の流体取扱い性を達成するために具体的に提供される。
【００１０】
一実施形態において、使い捨ての吸収性物品は、第１の端部マージン及び第１の端部マージンから長手方向に離間される第２の端部マージンによって画定されるシャーシ本体を含み、端部マージンは、使用者のウエストの周りで締め付け可能な前及び後ウエスト領域を部分的に画定する。物品は、上部シートと、背面シートと、上部シート及び背面シートの間に配置された吸収性複合材とを更に含む。上部シート及び背面シートは、シャーシ本体の長手方向及び横方向のマージンを画定する。吸収性複合材は、第１の織物と、前記第１の織物に結合された第２の織物とを含む。更に、吸収性粒子は、第１及び第２の織物の間に接着され、第１の織物は、第１の織物及び第２の織物の間に位置し、且つ吸収性粒子の凝集体を含む複数の容器を画定するために第２の織物に断続的に取り付けられる。吸収性複合材は、第１の寸法の容器を有する一次領域と、第１の寸法と異なる第２の寸法の複数の容器を有する二次領域とを含む吸収性粒子凝集体の容器の領域を含む。
【００１１】
本開示は、いくつかの実施形態における、吸収性マトリックスを必要としない吸収性複合材、及び吸収性複合材を製造する新規な方法に関するものである。本文献は、吸収性複合材を組み込む吸収性物品も開示する。吸収性複合材は、十分な吸収性、並びに乾燥及び湿潤完全性（均一な吸収性）を提供するために十分なＳＡＰを同時に保持しながら、非常に薄く、且つ柔軟にされ得る吸収性物品を提供する。吸収性複合材をおむつに使用することが開示されるが、当業者は、本発明の工程に従って作られた吸収性複合材が、多種多様な吸収性製品に使用され得ることを容易に理解するであろう。
本開示は、吸収性複合材を組み込む改良された吸収性物品も対象にする。
【００１２】
一例において、粒子を受けるために第１の織物を位置決めするステップと、第１の織物上に粒子を堆積させるステップと、第２の織物に接着剤を塗布するステップと、第１の織物に対して第２の織物を位置決めするステップと、第１及び第２の織物の間を延在する結合部位を形成するステップとを含む複合シートを製造する方法が、記載される。方法は、粒子が、ＳＡＰ粒子、スキンケア粒子、臭気吸収粒子、バインダ粒子、イオン交換粒子、及びその組合せを含む物品を更に含んでも良い。なおも更には、方法は、粒子を疎水性材料によって被覆するステップを含んでも良い。
方法は、第１の織物を表面に適合させることを含んでも良い。表面は、第１の織物内でポケット又は容器を形成する凹部を、それが表面に適合する時に含んでも良い。ＳＡＰ粒子は、第１の織物内に形成されたポケットに案内されても良い。第１の織物を表面に適合させるために、吸引が使用されても良い。第２の織物に塗布された接着剤は、有効量の乾燥粒子を固着するために十分な濃度で塗布されても良い。その濃度は、一般に１平方メートル当たり１〜１００グラムである。更に具体的には、接着剤は、１平方メートル当たり５〜７５グラム、又はなおも更に最適には、１平方メートル当たり１２〜５０グラムでの濃度で塗布されても良い。接着剤は、粒子を係合する接着剤の総量が１平方メートル当たり１〜１００グラムであるように塗布されても良い。本発明の方法は、粒子が第１の織物に堆積される前に、接着剤を第１の織物に塗布するステップを更に含んでも良い。
【００１３】
方法に適した結合部位は、連続又は不連続でも良く、且つポケット又は他の形状及び設計を画定しても良い結合線であっても良い。あるいは、結合部位は、結合点であっても良い。結合部位は、粒子に対して位置決めされ、且つ／又は２インチを超える直線の粒子移動を妨げるように配置されても良い。
あるいは、方法は、粒子を受けるために第１の織物を位置決めすること、第１の織物上に粒子を位置決めすること、第１の織物に対して粒子を固着すること、第２の織物を粒子の上に位置決すること、及び第１の織物を第２の織物に接合する結合部位を形成することを含む。結合部位は、粒子の移動を阻害するために離間された離散点であっても良い。結合部位は、粒子の移動を阻害するために離間された結合線、又は単一の結合線を形成するために接続された結合線であっても良い。結合線は、いくつかの粒子が内部に位置決めされるポケットを形成するように配置されても良い。粒子は、ＳＡＰ粒子、スキンケア粒子、臭気吸収粒子、バインダ粒子、イオン交換粒子、及びその組合せであっても良い。粒子は、接着剤、熱可塑剤又はその組合せによって第１の織物に固着されても良い。その上、又は選択的に、粒子は、接着剤、熱可塑剤又はその組合せによって第２の織物に固着されても良い。更に、粒子を受けるために第１の織物内で形状が、形成されても良い。
【００１４】
本開示による使い捨ての吸収性物品は、上部シートと、背面シートと、その間に配置された吸収性の芯とを含んでも良く、背面シート、上部シート、及び吸収性の芯の１つの少なくとも一部。吸収性の芯は、第１の織物と、前記第１の織物に結合された第２の織物と、第１及び第２の織物の間に接着された粒子とを含む吸収性複合材である。粒子は、ＳＡＰ粒子、スキンケア粒子、臭気吸収粒子、バインダ粒子、イオン交換粒子、及びその組合せであっても良い。
【００１５】
あるいは、背面シート上に支持される吸収性層は、背面シートの一部分が、吸収性複合材の第２の織物を提供するように、提供されても良い。背面シートは、第１の背面シート層と、第２の背面シート層と、その間に位置決めされた約２０ｇｓｍの濃度のＳＡＰ粒子とを更に含んでも良く、且つ第２の背面シート層は、約１０ｇｓｍ〜６０ｇｓｍの範囲の坪量を有するＳＭＳである。吸収性層は、１平方メートル当たり１〜１００グラムの接着剤濃度によって第１及び第２の織物の間に接着されても良い。第１の織物は、離散点で第２の織物に結合されても良く、その離散点は、ポケットを画定しても良い。更に、第１の織物は、複数の結合線に沿って第２の織物に結合されても良く、その結合線は、ポケットを画定しても良い。
【００１６】
吸収性の芯は、第１の織物と、第２の織物と、第１の織物が第２の織物に接続される結合部位と、第１及び第２の織物の間に接着された粒子の吸収性層も含んでも良い。粒子は、ＳＡＰ粒子及び／又は他の有益な粒子であっても良い。吸収性層は、上部シートの一部分が、吸収性複合材の第２の織物を提供するように、上部シートの一部分の下に支持されても良い。吸収性層は、背面シート部分が、吸収性複合材の第１の織物を提供するように、背面シートの一部分の下に支持されても良い。
いくつかの実施形態において、使い捨ての吸収性物品は、１平方メートル当たり約５０〜６５０グラムの吸収性層内のＳＡＰ粒子濃度を含んでも良い。ＳＡＰ粒子は、吸収性層内のＳＡＰ粒子による液体の初期受け取りを遅延させるために疎水性材料によって被覆されても良い。結合部位は、吸収性層のＳＡＰ粒子の動きを阻害する複数の実線を画定しても良い。実線は、第１及び第２の織物の間にポケットを形成するように形作られても良い。結合部位は、吸収性層のＳＡＰ粒子の動きを阻害する複数の不連続線を画定しても良い。不連続線は、第１及び第２の織物の間にポケットを形成するように形作られても良い。
【００１７】
更に別の実施形態において、結合は、粒子のポケットの周縁に沿って位置決めされても良い。結合は、杉綾模様、レンガ積み、円、三角形、点、長点、長方形、及びその組合せのようなパターンを形成しても良い。更に別の実施形態は、第１及び第２のシート間に位置決めされた密でない粒子も含んでも良い。
【００１８】
前述の事項は、以下に続く詳細な説明が、より良く理解できるように、本開示の特徴及び技術的利点を多少広く概説した。追加の特徴及び利点は、以下に記載される。開示された具体的な実施形態は、同じ目的を実行するために、他の構造を修正又は設計するための基礎として容易に利用され得ることが認識されるべきである。かかる同等の構成は、添付の請求項に記述される開示から逸脱しないことも理解されるべきである。その組織及び操作方法の両方に関して、本開示の特性を示すと考えられる特徴は、更なる目的及び利点と共に、添付図面に関連して考慮される時、以下の記載からより良く理解されるであろう。しかし、各図は、例示及び記載のみの目的で提供され、且つ本開示の限度の定義として意図されないことが、明確に理解されるべきである。本開示による使い捨ての吸収性物品は、上部シートと、背面シートと、その間に配置された吸収性の芯とを含んでも良い。吸収性の芯は、第１の織物と、第１の織物に結合された第２の織物と、第１及び第２の織物の間に接着された粒子とを含む吸収性複合材である。粒子は、ＳＡＰ粒子、スキンケア粒子、臭気吸収粒子、バインダ粒子、イオン交換粒子、及びその組合せであっても良いか、又は好ましい実施形態において、ＳＡＰから成る。
【００１９】
あるいは、背面シート上に支持される吸収性層は、背面シートの一部分が、吸収性複合材の第２の織物を提供するように、提供されても良い。背面シートは、第１の背面シート層と、第２の背面シート層と、その間に位置決めされた約２０ｇｓｍの濃度のＳＡＰ粒子とを更に含んでも良く、且つ第２の背面シート層は、約１０ｇｓｍ〜６０ｇｓｍの範囲の坪量を有するＳＭＳである。吸収性層は、１平方メートル当たり１〜１００グラムの接着剤濃度によって第１及び第２の織物の間に接着されても良い。第１の織物は、離散点で第２の織物に結合されても良く、その離散点は、ポケットを画定しても良い。更に、第１の織物は、複数の結合線に沿って第２の織物に結合されても良く、その結合線は、ポケットを画定しても良い。
吸収性の芯は、第１の織物と、第２の織物と、第１の織物が第２の織物に接続される結合部位と、第１及び第２の織物の間に接着された粒子の吸収性層も含んでも良い。粒子は、ＳＡＰ粒子及び／又は他の有益な粒子であっても良い。吸収性層は、上部シートの一部分が、吸収性複合材の第２の織物を提供するように、上部シートの一部分の下に支持されても良い。吸収性層は、背面シート部分が、吸収性複合材の第１の織物を提供するように、背面シートの一部分の下に支持されても良い。
【００２０】
いくつかの実施形態において、使い捨ての吸収性物品は、１平方メートル当たり約５０〜６５０グラムの吸収性層内のＳＡＰ粒子濃度を含んでも良い。ＳＡＰ粒子は、吸収性層内のＳＡＰ粒子による液体の初期受け取りを遅延させるために疎水性材料によって被覆されても良い。結合部位は、吸収性層のＳＡＰ粒子の動きを阻害する複数の実線を画定しても良い。実線は、第１及び第２の織物の間にポケットを形成するように形作られても良い。結合部位は、吸収性層のＳＡＰ粒子の動きを阻害する複数の不連続線を画定しても良い。不連続線は、第１及び第２の織物の間にポケットを形成するように形作られても良い。
【００２１】
更に別の実施形態において、結合は、粒子のポケットの周縁に沿って位置決めされても良い。結合は、杉綾模様、レンガ積み、円、三角形、点、長点、長方形、及びその組合せのようなパターンを形成しても良い。更に別の実施形態は、第１及び第２のシート間に位置決めされた密でない粒子も含んでも良い。
【００２２】
前述の事項は、以下に続く詳細な説明が、より良く理解できるように、本開示の特徴及び技術的利点を多少広く概説した。追加の特徴及び利点は、以下に記載される。開示された具体的な実施形態は、同じ目的を実行するために、他の構造を修正又は設計するための基礎として容易に利用され得ることが認識されるべきである。かかる同等の構成は、添付の請求項に記述される開示から逸脱しないことも理解されるべきである。その組織及び操作方法の両方に関して、本開示の特性を示すと考えられる特徴は、更なる目的及び利点と共に、添付図面に関連して考慮される時、以下の記載からより良く理解されるであろう。しかし、各図は、例示及び記載のみの目的で提供され、且つ本開示の限度の定義として意図されないことが、明確に理解されるべきである。
【００２３】
本開示の更に完全な理解のために、添付図面と併用される以下の記載がここで参照される。
【図面の簡単な説明】
【００２４】
【図１】カレンダロールを使用する吸収性複合材を製造する方法の一実施形態の概略図である。
【図２】カレンダロールを使用する本発明の吸収性複合材を製造する方法の別の実施形態の概略図である。
【図３】追加のエネルギー源を有する図１に示す方法の概略図である。
【図４】カレンダロールの代わりに超音波結合技術を使用する図１に示す方法の応用例である。
【図５】カレンダロールの代わりに超音波結合技術を使用する図２に示す方法の応用例である。
【図６−１】方法及び吸収性物品において使用され得る種々の可能な結合パターンの説明図である。
【図６−２】方法及び吸収性物品において使用され得る種々の可能な結合パターンの説明図である。
【図７】方法によって形成され、且つ吸収性物品内で利用されるポケットの断面説明図である。
【図８】吸収性複合材を具体化する使い捨ての吸収性物品の斜視図である。
【図９】平坦且つ延在された状態での図８の使い捨ての吸収性物品の上面平面図である。
【図１０】図８の使い捨ての物品の分解組立図である。
【図１１】吸収性複合材を利用し、且つ吸収性物品によって用いられる吸収性の芯の部分断面図である。
【図１２】本発明の吸収性複合材の代替的な実施形態を利用し、且つ代替的な吸収性物品によって用いられる吸収性の芯の部分断面図である。
【図１３】レッグカフ内で吸収性複合材を用いる吸収性物品の断面図である。
【図１４】レッグカフ内で飽和吸収性複合材を用いる吸収性物品の断面図である。
【図１５Ａ】複合材にわたる吸収性粒子の凝集体の配置に特に注意した、本開示による吸収性複合材の簡略化された説明図である。
【図１５Ｂ】複合材にわたる吸収性粒子の凝集体の配置に特に注意した、本開示による吸収性複合材の簡略化された説明図である。
【図１５Ｃ】複合材にわたる吸収性粒子の凝集体の配置に特に注意した、本開示による吸収性複合材の簡略化された説明図である。
【図１５Ｄ】複合材にわたる吸収性粒子の凝集体の配置に特に注意した、本開示による吸収性複合材の簡略化された説明図である。
【図１６Ａ】先行技術のＳＡＰサンドイッチの簡略化された説明図である。
【図１６Ｂ】本開示によるＳＡＰ構造（サンドイッチ）の簡略化された説明図である。
【図１７Ａ−１７Ｂ】図１７Ａは、本開示による、ポケット、及びポケットの配置を特徴付ける流体特性の断面図での簡略化された説明図である。図１７Ｂは、本開示による、ポケット、及びポケットの配置を特徴付ける流体特性の断面図での簡略化された説明図である。
【図１７Ｃ−１７Ｄ】図１７Ｃは、本開示による、ポケット、及びポケットの配置を特徴付ける流体特性の断面図での簡略化された説明図である。図１７Ｄは、本開示による、ポケット、及びポケットの配置を特徴付ける流体特性の断面図での簡略化された説明図である。
【図１８Ａ−１８Ｂ】図１８Ａは、本開示による吸収性複合材を製造する工程の簡略化された概略図である。図１８Ｂは、図１８Ａに関して記載された工程の代表的な構成要素の説明図又は写真である。
【図１８Ｃ】図１８Ａに関して記載された工程の代表的な構成要素の説明図又は写真である。
【図１９】図１８Ａの工程による吸収性複合材を表す略断面図である。
【図２０Ａ】本開示の好ましい実施形態による吸収性の芯積層体を用いる使い捨ての吸収性物品の横中心線に沿った略断面図である。
【図２０Ｂ】本開示の好ましい実施形態による吸収性の芯積層体を用いる使い捨ての吸収性物品の長手方向中心線に沿った略断面図である。
【図２０Ｃ】図２０Ａ及び図２０Ｂの吸収性の芯積層体内の吸収性複合材の略断面図である。
【図２１】本開示の実施形態による吸収性の芯積層体の分解組立図である。
【図２２Ａ】図２１の積層体を製造する種々の段階の分解組立図である。
【図２２Ｂ】図２１の積層体を製造する種々の段階の分解組立図である。
【図２２Ｃ】図２１の積層体を製造する種々の段階の分解組立図である。
【図２３】本開示の実施形態によるエンボス加工した吸収性の芯積層体の上面斜視図である。
【図２４】本開示の実施形態による結合点を用いる代表的な吸収性の芯積層体の平面図である。
【図２５】本開示の代替的な実施形態による吸収性の芯積層体の平面図である。
【図２６】本開示の代替的な実施形態による吸収性の芯積層体の分解組立図である。
【図２７】本開示の実施形態による吸収性の芯積層体の製造における段階の簡略化された説明図である。
【図２８】本開示の好ましい実施形態による吸収性の芯積層体を用いる使い捨ての吸収性物品の平面図である。
【図２９】本開示の好ましい実施形態による吸収性複合材の断面図での簡略化された説明図である。
【図３０】本開示による吸収性複合材内に点結合された嵩高い不織布層の部分断面図での簡略化された説明図である。
【発明を実施するための形態】
【００２５】
本明細書に提供された詳細な説明及び添付図面を検討すれば、本開示により製造される吸収性複合材が、使い捨ての吸収性物品に、且つ特にはおむつ、トレーニングパンツ又は他の失禁製品のような使い捨ての吸収性物品に使用され得ることが当業者に明らかであろう。したがって、以下の記載は、使い捨てのオムツに使用される吸収性複合材に特に向けられるが、本開示は、本明細書に具体的に記載及び例示された構造及び工程に限定されるものではない。本開示が関連する用語「吸収性物品」又は「吸収性衣類」は、種々の身体滲出物、体液、又は生体液を吸収及び含むように、着用者の身体に対して、又は着用者の身体に近接して置かれる種々のタイプの使い捨ての物品及び衣類を含む。
【００２６】
おそらく、本開示に導入される特定の貢献及び改良のより良い理解及び認識を得るために、米国特許第８，１４８，５９８号に以前開示された改良を最初に参照できる。これらの以前の改良は、図１〜図１４に対して記載される。その中の教示及び提案のいくつかは、当技術分野での背景的知識として役立つことに加え、本開示のいくつかの具体的な実施形態に形を変えても良い（そのことは、本開示に与えられる関連技術分野で技能を有する者には、明らかになるであろう）。
図１で、織物１２５は、ロール１２０から与えられ、且つコンベヤベルト１００上で生産ラインに沿って搬送されて示される。織物１２５は、織布、不織布、フィルム又はその組合せであっても良い熱可塑性材料であっても良い。織物１２５は、真空システム１１０によってコンベヤベルト１００に固着される。真空システム１１０は、織物１２５をコンベヤベルト１００に確定する（confirm）働きをする。
【００２７】
一実施形態において、コンベヤベルト１００の表面は、織物が、コンベヤベルト１００の表面に対して引っ張られると、織物１２５内でカップを形成する陥凹部を有する。コンベヤベルト１００の表面は、織物内でカップを形成する構成に限定されず、代わりに多数の異なる表面形状及び寸法によって構成できる。例は、隆起、浮き出した形状、及び孔を含む。その上、表面形状は、コンベヤベルトの幅及び長さにわたって均一又は不均一に分配できる。あるいは、コンベヤベルト１００は、平坦であっても良い。コンベヤベルト１００が、孔又は他の類似した構成を有する用途において、織物１２５内に形成されたポケットの深さは、真空システム１１０の力、織物１２５の弾性、又はその組合せによって変えることができる。その上、織物が、コンベヤベルト１００の表面に対して引っ張られる時、熱が、織物１２５の弾性を増加させるために使用され得る。熱は、加熱コンベヤベルト又は当技術分野で知られた他のいずれかの手段によって織物に加えられ得る。真空１１０は、コンベヤベルト１００の表面にわたって均一に、又は選択された場所に加えられ得る。例えば、コンベヤベルト１００の表面が、くぼみを有する形態において、真空は、くぼみのみに加えられ得る。
【００２８】
ＳＡＰ粒子１３５は、次にＳＡＰディスペンサ１３０によって織物１２５に堆積される。ＳＡＰディスペンサ１３０は、ＳＡＰ粒子を第１の織物上のその所望の位置に位置決めするように構成されても良いか、又はＳＡＰ粒子を第１の織物上に堆積させるようにのみ構成され、ＳＡＰ粒子は、他の手段によって位置決めされても良い。当業者は、複数のＳＡＰディスペンサ１３０が使用され得ることを理解する。ＳＡＰ粒子１３５は、風又は他の既知の方法によって織物１２５上に堆積されるか、位置決めされるか、又は両方であっても良い。あるいは、図１に示すコンベヤベルトは、真空システム１１０が、上から吸引を加えるように逆にされても良い。かかる形態において、織物１２５は、ＳＡＰ粒子１３５の供給の上を搬送され、且つＳＡＰ粒子は、真空システム１１０によって織物１２５の表面に保持される。代替的な実施形態において、ＳＡＰディスペンサ１３０は、イオン交換樹脂、脱臭剤、抗菌剤、バインダ粒子、又は他の有益な粒子のようなスキンケア粒子を含んでも良い。更に、好ましい実施形態は、ＳＡＰ粒子を対象とするが、本明細書に開示された方法は、ＳＡＰを含まない組合せを含む、以上に参照された粒子のいずれの組合せによっても使用できる。あるいは、生産ライン（図示せず）に沿って有利に位置決めされた別個のディスペンサが、例えばスキンケア粒子のような異なるタイプの粒子を堆積させるために使用され得る。
【００２９】
ＳＡＰ粒子１３５は、多数の代替的な方法により織物１２５上に位置決めされ、且つ集められる。一実施形態において、真空システム１１０及び織物１２５は、真空システム１１０が、ＳＡＰ粒子１３５を織物１２５の表面に対して均一に又は特定の領域で引っ張ることを可能にするように構成され得る。別の実施形態において、織物１２５の形状は、ＳＡＰ粒子１３５を定位置に案内する。例えば、織物１２５が、ポケットを形成するように形作られる時、ＳＡＰ粒子１３５は、真空システム１１０、コンベヤベルトの振動、風、コンベヤベルトの角度、又はその組合せの結果としてポケットに転がり込む。あるいは、ＳＡＰディスペンサ１３０は、ＳＡＰ粒子１３５を織物１２５の表面にわたって戦略的に与えるように位置決め及び制御されても良く、その戦略的位置決めは、機械方向との位置合わせ又は非位置合わせ、オフセット又は無作為を含むが、それらに限定されない。更に、ＳＡＰは、ＳＡＰ粒子がないゾーンがあるように位置決めできる。なおも更には、ＳＡＰ粒子は、接着剤を表面上の特定の場所に塗布すること、ＳＡＰ粒子を表面上に堆積させることのように、接着剤を使用して、位置決めされ得る。なおも更には、ＳＡＰ粒子は、両方の織物１２５及び１５５上に位置決めされ得る。
【００３０】
一旦ＳＡＰ粒子が、織物１２５上に堆積及び位置決めされると、第２の織物１５５が、ロール１５０から生産ラインに導入される。第２の織物１５５は、スパンボンド熱可塑性又は類似した織布若しくは不織布材料、フィルム、又はその組合せを含む種々の材料から選択され得る。
接着剤１４５は、ＳＡＰ粒子１３５に多数の方法で塗布される。図１は、織物１５５に塗布された接着剤１４５を示す。あるいは、接着剤１４５は、織物１２５及びＳＡＰ粒子１３５に、ＳＡＰ粒子１３５が織物１２５上に堆積される前に織物１２５に、又はＳＡＰ粒子が織物１２５に堆積される前にＳＡＰ粒子に直接、塗布され得る。なおも別の実施形態において、接着剤１４５は、織物１２５及び１５５が一緒に接合される点に塗布される。なおも別の実施形態において、接着剤の複数のコートが塗布される。例えば、接着剤１４５は、ＳＡＰ粒子１３５が堆積される前に織物１２５に、ＳＡＰ粒子が位置決めされた後にＳＡＰ粒子１３５に、織物１５５に、又はその組合せに塗布されても良い。あるいは、又は上記実施形態に加えて、バインダ粒子は、ＳＡＰ粒子１３５と混合され得る。その上、接着剤は、完成複合材の所望の吸収特性に応じて、均一に、無作為に、又は特定のパターンで塗布できる。
【００３１】
接着剤は、当業者に知られている多数の方法により塗布される。例えば、接着剤は、織物１５５の表面に吹き付け、圧延、又は紡ぎ出されても良い。接着剤は、疎水性、親水性、生分解性、生物由来、又はその組合せであっても良い。好ましい接着剤は、疎水性である。コート中の接着剤の濃度は、１平方メートル当たり１〜１００グラム（「ＧＳＭ」）の幅がある。最適には、濃度は、５〜７５ＧＳＭである。好ましい実施形態において、濃度は、１２〜５０ＧＳＭである。その上、標的領域の少なくとも２５％を覆うために、十分な接着剤が塗布されるべきである。
織物１２５及び１５５は、次に一緒に結合される。図１は、カレンダロール１６０及び１７０が使用される熱結合システムを示す。しかし、他の結合システム／方法が使用され得る。例えば、図４及び図５の超音波結合システムが、使用され得る。接着剤１４５は、結合工程中、且つ結合工程の後で、織物に対して比較的固定された位置にＳＡＰ粒子１３５を保持する。結合パターンは、ＳＡＰ粒子１３５の分布と位置合わせされ得る。あるいは、結合パターンは、ＳＡＰ粒子１３５の分布と位置合わせされなくても良い。かかる実施形態において、結合装置は、結合又はＳＡＰ粒子１３５を介した結合前に、ＳＡＰ粒子１３５を動かすように構成されても良い。これらの実施形態は、結合点をＳＡＰ粒子の分布と同期化する必要性を取り除く。
【００３２】
織物１５５及び１２５は、２つの材料として示される。しかし、当業者は、織物が、実際には同じ材料の一部であっても良いことを理解する。かかる形態において、単一の織物が、ＳＡＰ粒子を覆うために折り畳まれる。あるいは、織物１２５の縁部は、第２の織物１５５を当てる前に折り畳まれても良い。織物１２５及び１５５が分離している実施形態において、織物１２５及び１５５は、同じ又は異なる材料であっても良い。その上、織物１５５は、織物１２５の中心部分のような特定の領域を覆うように寸法が決められる。
一旦、織物が、一緒に結合されると、吸収性複合材１９５は、巻き返し機２００に収集される。
【００３３】
図２に例示した方法において、織物１２５は、コンベヤベルト１００に沿って輸送される。織物１２５は、コンベヤベルト１００に沿って輸送され、接着剤１４５の薄いコートは、織物１２５に塗布される。図１の方法と同じように、接着剤は、完成複合材の所望の吸収特性に応じて、均一に、無作為に、又は特定のパターンで塗布できる。接着剤１４５は、ＳＡＰ粒子１３５が堆積される前に塗布されて示されるが、代替的な実施形態が、想定される。例えば、接着剤は、図１に関して記載された実施形態により塗布できる。
接着剤の塗布に続き、ＳＡＰ粒子１３５は、織物１２５上に堆積され、且つ位置決めされる。ＳＡＰ粒子１３５は、図２に示すように織物１２５に直接的に、又は織物１２５にわたってＳＡＰ粒子を吹き飛ばす風のように間接的に堆積させても良い。ＳＡＰ粒子の重量は、織物１２５をコンベヤベルト１００に固着することに役立つ。その上、ＳＡＰ粒子は、図１に関して開示されたのと同様に位置決めされても良い。
【００３４】
第２の織物１５５は、次にロール１５０から生産ラインに供給される。第２の織物は、ＳＡＰ粒子１３５を覆うように位置決めされる。接着剤１４５は、ＳＡＰ粒子が、２つの織物間を自由に動くことを妨げる。結果として生じた挟まれた構成は、次に熱結合のためにカレンダロールに輸送される。図１に関して記載されたように、結合パターンは、ＳＡＰ粒子１３５と位置合わせされる、又は位置合わせされなくても良い。吸収性複合材１９５は、次に巻き返し機２００によって収集される。図１に関して記載されたように、織物１２５及び１５５は、単一シートの一部であっても良い。その上、織物は、図１に関して記載された方法で折り畳まれても良い。別の実施形態において、織物１２５は、接着剤によって被覆され、且つＳＡＰ粒子の供給に対して押圧されても良い。
【００３５】
図３は、オーブン又はマイクロ波発生器のようなエネルギー源９００が、組立ラインに沿って位置決めされることを除き、図１及び図２に類似する。エネルギー源は、熱可塑性バインダを溶融するために使用できる熱及び／又は放射線９１０を加える。熱量は、特定タイプの粒子又は繊維、特定部分の織物、又は粒子／バインダの外層のみを溶融するために、同様に調節できる。
図４及び図５は、織物が、超音波結合を使用して、一緒に結合されることを除き、図１及び図２に類似する。図４及び図５は、超音波結合システム（２１０ａ及び２１０ｂ）を示す。図１〜図５は、新規方法の異なる実施形態を示し、且つ種々の方法の形態が、必要に応じて有利に組み合わされ得ることが、容易に理解される。しかし、ＳＡＰ粒子１３５に塗布される接着剤１４５、バインダ粒子、又はその組合せの量、及び結合の強さが、全ての組合せに重要である。図１に関して注目されたように、接着剤の最適な濃度は、１２〜５０ＧＳＭであるが、他の濃度が、許容できる。全ての実施形態において、接着剤１４５の濃度が、ＳＡＰ粒子１３５の移動を阻害するために十分高いことが重要である。しかし、濃度は、それがＳＡＰ粒子１３５を被覆し、且つＳＡＰ膨潤を減少させるほど高くすべきでない。接着剤は、均一の吸収性を確保するために十分なＳＡＰ粒子１３５の移動を阻害すべきであるだけである。図示しないが、当業者は、図３に示したエネルギー源９００も図２、図４及び図５に示す形態に適用できることを理解する。
【００３６】
図６（ａ）から（ｑ）は、方法によって検討された種々の結合パターンを示す。結合パターンは、領域を完全に囲むか、領域を部分的に囲むか、又は局所的結合ゾーンを提供しても良い。線及び点は、結合部位を示す。実線は、結合線を描く。結合線は、ＳＡＰ粒子１３５のポケットを完全に囲む連続した結合線を描く、例（ａ）及び（ｃ）に見出され得るような開放形状又は囲まれた形状、又は例（ｇ）のように吸収性複合材の分離した異なる領域を形成できる。例（ｂ）及び（ｍ）に見出され得るような破線は、ＳＡＰ粒子１３５のポケットを完全に囲まない不連続結合パターン（patters）である。これらの形態において、乾燥ＳＡＰ粒子の移動は、接着剤及び連続した又は不連続の結合パターンによって阻害される。不連続結合パターン（Discontinuous pond patters）は、連続結合パターンの代わりにされても良く、且つ逆もまた同様である。更に、図６は、連続した又は不連続の結合パターンを示すが、不連続及び連続した結合パターンの組合せが、使用され得る。
【００３７】
図７は、吸収性複合材１９５の部分断面図を示す。図７は、ＳＡＰ粒子１３５のポケットを分離するために、結合１９２が、いかに働き得るかを示す。結合パターンに関して注目したように、ＳＡＰ粒子１３５は、結合パターンによって画定されるポケットに全体的に囲まれ得るか、結合パターンによって画定されるポケットに部分的に囲まれ得るか、又は結合パターンによって単に阻害され得る。この文脈における阻害されるは、ＳＡＰ粒子１３５が、芯の一方の領域から他方の領域へ直接動けないが、代わりに結合部位の周りで動かねばならないことを意味する。
とりわけ、複数の機能又は有利な特性が、ＳＡＰ粒子の量、使用される織物のタイプ及び数、並びにＳＡＰの接着剤に対する比のような構成変数を変化させること、及び物品内の種々の場所で吸収性複合材を適用することによって、吸収性複合材内で得られる。かかる製造及び設計技術は、本開示の構造設計及び方法に組み込まれ得る。
【００３８】
その上、当業者は、上記の単一の吸収性複合材を構成する工程が、複数の積層吸収性複合材を製造するために修正され得ることを理解する。複数の層を含む構造において、層は、単一の構造、又は単一の構造を形成する織物及びＳＡＰ粒子１３５の交互に重なった層を形成するために一緒に積層される吸収性複合材１９５のシートであっても良い。当業者は、交互に重なった層が、織物１５５の頂部に接着剤を塗布し（図１）、ＳＡＰ粒子１３５の第２の層、及び第３の織物（図示せず）を当てることによって達成できることを理解する。同様に、追加の層を加えても良く、結合工程に適した最大の厚さによってのみ限定される。
【００３９】
ＳＡＰ粒子１３５は、混和性の疎水性材料によって被覆され得る。コーティングは、液体取り込みを最初に遅くするバリア又は膜の役目を果たし、それにより追加の又は二次的な排出のためのＳＡＰ容量を節約する。この点に関して、コーティングは、排出間の吸収速度を均等にする。図１〜図５に示される工程において、コーティングは、接着剤１４５が塗布される前か、接着剤１４５が塗布された後か、又は同時に塗布され得る。あるいは、接着剤は、コーティング材料と混合され得る。
一例において、鉱油の軽いコーティングが、ＳＡＰ粒子１３５上に塗布される。コーティングは、ＳＡＰ粒子による初期取り込みを遅延させ、且つ液体が、物品内で広がるための更なる時間を許す。好ましくは、鉱油は、（特定の製品設計に応じて）ＳＡＰ１グラム当たり約０．００００１グラムからＳＡＰ１グラム当たり約０．１グラムの濃度で塗布される。あるいは、鉱油は、特定の標的ゾーンに塗布され得る。このようにして、受けた液体は、被覆された領域が活性化され、且つ膨潤し始める前に、被覆されない領域に最初に広げられることが推奨される。
【００４０】
上記工程によって製造された吸収性複合材は、使い捨ての吸収性物品、又は使い捨ての吸収性物品の１つ以上の構成要素に使用され得る。吸収性物品の構成要素は、背面シートと、上部シートと、吸収性の芯と、閉じ込め壁又はカフ（レッグギャザーを含む）と、背面シート／吸収性の芯複合材と、上部シート／吸収性複合材と、その組合せとを含む。かかる構成は、下記で更に詳細に記載される。
図８は、おむつ１０の形の使い捨ての吸収性物品の斜視図である。おむつ１０は、上部シート５０と、背面シート６０と、吸収性の芯（図示せず）とを含む。おむつは、おむつに沿って長手方向に延在し、且つ着用者の臀部と合うように伸縮性を与えられる直立バリアカフ３４とを更に含む。その上、おむつは、弾性バンド５２と、締め付け要素２６とを含む。要素２６は、使用時に、おむつを着用者の周りに固着するために、おむつの対応する反対端部に延在し、且つ係合させる。
【００４１】
図９は、全体に平坦且つ折り畳まれない形態での図８のおむつ１０の複合ウェブ構造を例示する。以下で更に説明するように、ウェブ構造は、使い捨てのおむつ１０を完成した又は最終の形に形成するために、その後にトリミング、折り畳み、密封、溶接及び／又は他の方法で操作されても良い。おむつ１０の記載を容易にするために、記載は、長手方向に延在する軸ＡＡ、横方向に延在する中心軸ＢＢ、一対の長手方向に延在する側方縁部９０、及び側方縁部９０の間で延在する一対の端縁部９２を参照する。長手方向軸ＡＡに沿って、おむつ１０は、第１の端部領域又は正面ウエスト領域１２と、第２の端部領域又は背面ウエスト領域１４と、その間に配置されたクロッチ領域１６とを含む。正面及び背面ウエスト領域１２、１４の各々は、中心本体部２０の両側に位置し、且つ側方縁部９０から横方向に延在する一対の耳領域又は耳１８を特徴とする。締め付け構造２６（例えば、従来のテープファスナ）は、おむつ１０の背面ウエスト領域１４に沿って各耳１８に張り付けられる。
おむつ１０が、ウエストの周りに着用される時、正面ウエスト領域１２は、着用者の正面ウエスト領域に隣接して取り付けられ、背面ウエスト領域１４は、背面ウエスト領域に隣接して取り付けられ、且つクロッチ領域１６は、クロッチ領域の周り且つ下部に適合する。おむつ１０を着用者に適切に固着するために、背面ウエスト領域１４の耳１８は、着用者のウエストの周りに、且つ正面に向かって、正面ウエスト領域１２の耳１８と位置合わせして運ばれる。固着面は、正面ウエスト領域１２の内面又は外面に位置するか、又はそれによって提供されても良い。あるいは、ファスナ２６は、正面ウエスト領域１２の耳１８に位置し、且つ背面ウエスト領域１４の耳１８に固着可能にされても良い。
【００４２】
図１０は、図８及び図９のおむつの分解組立図である。適切なおむつ構造は、少なくとも３層を概して用いる。これら３層は、背面シート６０と、吸収性の芯４６と、上部シート５０とを含む。おむつ構造は、上部シート５０から上方に配置され、且つ好ましくは１つ以上の離間した長手方向弾性部材３８を少なくとも備えた、一対の閉じ込め壁又はレッグカフ３４を含んでも、含まなくても良い。これらおむつ要素のいずれか、又はこれら要素の組合せが、吸収性複合材１９５により、又はそれを使用して、構成され得ることが以下に示される。その上、捕捉層４８が、性能を改良するために加えられ得る。
【００４３】
背面シート
上述のように、おむつ１０は、芯４６を覆い、且つ好ましくは芯４６を越えておむつ１０の側方縁部９０及び端縁部９２に向かって延在する背面シート６０を用いる。本発明の一形態において、背面シート６０は、吸収性複合材１９５の単層材料シートから構成される。かかる形態において、織物１２５は、背面シート６０の外面として位置決めされる。
その上、代替的な構造が、ゲルブロッキングのために使用できる。ゲルブロッキングを使用する用途に関して、本発明の使い捨ての吸収性物品の背面シートは、比較的薄く、且つ改良された柔軟性を提供する。乾燥時に、背面シートは、軟質で、且つ通気性を有するが、湿ると、薄いゲルブロックされた層が、（即ち、背面シートの内面に）形成され、背面シートを実質的に液体不透過性にする。ゲルブロックされた層は、ＳＡＰ粒子１３５の膨潤によって形成される。
【００４４】
上部シート
同様に、吸収性複合材１９５は、吸収性衣類の上部シートによって、又は上部シートとして利用できる。上部シート５０は、好ましくは軟質で、柔軟に適合し、良好な裏抜け、及び液体透過性材料で再び湿る傾向の減少を示す。おむつ１０が着用される時、上部シート５０は、着用者の皮膚に近接して置かれる。このようにして、かかる上部シート５０は、身体的排出物が、芯４６に向かって更に速く流れるが、かかる排出物が上部シート５０を通して逆流することを可能にしないように、そこに迅速に浸透することを可能にする。上部シート５０は、広範囲の液体及び蒸気透過性の親水性材料のいずれからも構成できる。上部シートの表面は、芯及び芯の内面の上に置かれた上部シートの特に中心ゾーン又は領域で、液体がそこを通って移動することを容易にするように、界面活性剤によって処理され得る。上部シートは、発疹防止又は発疹減少特性を有する物質（例えば、アロエベラ）によって同様に被覆されても良い。
【００４５】
一例において、上部シート５０は、正面ウエスト領域１２、背面ウエスト領域１４、及びクロッチ領域１６の実質的に全部を含む、使い捨ての吸収性物品１０の実質的に全体領域を覆う吸収性複合材１９５から形成される。更に、内部領域１８の耳層は、同じ単一の上部シート材料から形成され、したがって、上部シート材料の横方向延在部の形成において、上部シート５０と単一であると称され得る。あるいは、上部シート５０は、上部シート５０の幅によって変わる複数の異なる材料から形成され得る。かかる複数部品設計は、上部シートの好ましい特性及び異なるゾーンの作成を可能にする。
【００４６】
吸収性の芯
上記例に加え、又はその代替案として、使い捨ての吸収性物品の吸収性の芯が、吸収性複合材１９５、吸収性複合材１９５の積層（図示せず）、又はＳＡＰ粒子１３５及び織物の複数層から構成され得る。図１１及び図１２は、それぞれ多層吸収性複合材７００及び９００を形成するＳＡＰ粒子１３５及び織物の交互に重なった層の断面図を示す。これらの図に示すように、芯４６は、ＳＡＰ粒子１３５の異なる層（７１０及び９１０）からなっても良い。層は、対象とする用途に応じて均一又は不均一であっても良い。不均一な多層吸収性複合材９００において、ＳＡＰ粒子１３５の濃度は、所与の層内で、層間で、又はその組合せで異なっても良い。
図１１は、完成した複合構造７００を形成するために、ＳＡＰ粒子層７１０及び織物層７２０が、交互に重ねられる複合構造７００を示す。層状設計は、製造工程中に吸収性複合材のシートを一緒に結合し、吸収性複合材の単一シートを折り畳み、又は吸収性複合材を複数の層によって構成することによっても構成できる。折り畳まれた用途において、複合材折り畳みは、Ｃ字折り、Ｚ字折り、Ｖ字折り、Ｗ字折り、又はその組合せであっても良い。更に、折り畳みは、開放、閉鎖又は重複であっても良い。
図１２は、多層吸収性複合材９００を示す。図１２に示すように、ＳＡＰ粒子９１０の高濃度領域は、吸収性物品のクロッチのような特定の領域に追加の吸収性を提供するために、戦略的に位置決めされ得る。当業者は、高濃度領域が、液体透過の量及び方向を制御するためにオフセットされても良いことを理解する。その上、高濃度のゾーンを有する層は、実質的に均一な層と組み合わされても良い。あるいは、高いＳＡＰ濃度領域は、吸収性の芯の複数層を位置決めすることによって形成できる。
【００４７】
芯は、使い捨ての吸収性物品の全長及び／又は全幅を実質的に延在するように構成され得る。しかしながら好ましくは、芯は、物品のクロッチ領域に配置されるか、又は他の方法で集められる。種々の実施形態において、芯は、物品の縁部に延在し、且つＳＡＰ粒子１３５は、物品のクロッチ領域又は他の標的ゾーンに集められる。なおも別の実施形態において、粒子は、ＳＡＰ粒子、イオン交換樹脂、脱臭剤、抗菌剤、バインダ粒子、又は他の有益な粒子のようなスキンケア粒子の組合せであり得る。
【００４８】
閉じ込め壁
ここで図１３及び図１４を見ると、使い捨ての吸収性物品１０は、吸収性複合材１９５を用いる一対の閉じ込め壁又はカフ３４を利用する。各閉じ込め壁３４は、好ましくは芯４６の各側に位置決めされ、且つ長手方向中心から横方向に離間し、長手方向に延在する壁構造である。壁３４の長手方向端部は、正面又は背面ウエスト領域１２及び１４内で例えば上部シート５０に取り付けられても良い。好ましくは、閉じ込め壁３４の端部は、内部に留められ、且つ例えば接着剤によってウェブ構造に取り付けられる。かかる構成は、閉じ込め壁３４を内側に効果的に偏らせ、且つ一般に閉じ込め壁３４に改良された漏出防止特性を示させると考えられる。
【００４９】
図１３は、おむつ１０の断面図を提供する。おむつ１０は、背面シート６０と、吸収性の芯４６と、獲得層４８と、上部シート５０とを含む。図１３に示すように、芯は、吸収性複合材１９５である。おむつ１０は、上部シート５０を折り畳み、且つそれを吸収性複合材１９５の端部の周りに巻き付けることによって形成される、一対の閉じ込め壁又はレッグカフ３４も含む。あるいは、カフ３４内の吸収性複合材１９５は、吸収性の芯４６と異なっていても良い。
好ましくは、閉じ込め壁３４は、閉じ込め壁３４の実質的な長さに沿って延在する弾性部材３８を備える。共通の用途において、弾性部材３８は、延伸した状態で、且つ少なくともその端部が閉じ込め壁に接着される間、閉じ込め壁３４内に、好ましくは閉じ込め壁３４の頂部に置かれる。弾性部材３８は、解放されるか、又は他の方法で弛緩が許される時に、内部に引っ込められる。物品１０が着用される時、弾性部材３８は、物品１０、臀部及び大腿部の間を密封するように、閉じ込め壁３４を使用者の臀部及び大腿部の周りで収縮させる働きをする。芯４６は、上記のように吸収性複合材１９５の単一シート、又は多層であっても良い。
図１３は、軟質且つ乾燥した時の閉じ込め壁３４の形態を示す。他方で図１４は、吸収性複合材１９５が膨潤し、閉じ込め壁３４を弾性的に直立した位置に配置する、湿った後の閉じ込め壁を示す。先行技術における伝統的なレッグカフと異なり、弾性的に直立した閉じ込め壁３４は、平坦化に抵抗し（例えば、着用者が座る時）、且つそれにより特に爆発的な液化した排便、及び尿の急速な排出の漏出防止を確実にする。
【００５０】
任意の層
使い捨ての吸収性物品は、好ましくは上部シート及び芯の間に位置する（例えば、図１０）捕捉層又はサージ層４８を含む追加の層を用いても良い。かかる捕捉層の１つの機能は、液体が芯表面に更に均一に分配されるように、液体の流れを広げる、又は分散させることである。このことは、液体が芯によって吸収されるための適当な時間を有するように、流れの速度を落とす働きをする。捕捉層は、芯の実質的な残りの部分がいかなる液体も吸収しない間に、芯が局所的に飽和することを妨げる働きもする。
【００５１】
テープタブ
使い捨ての吸収性物品は、着用者に固着されねばならない。おむつは、トレーニングパンツ又は失禁用ブリーフのように着用者によって引き上げられず、着用者の周りに締め付けられるので、このことは、おむつに関して最も重要である。固着要素は、着用者及びウエストバンド及びレッグカフの間に準シールをもたらすことによって弾性部材を補足し、その結果、液体が物品内に含まれ、次に吸収される、換言すると、その結果、着用者及び物品の縁部の間の間隙を通って漏出しない。固着要素は、接着剤、機械的ファスナフック及びループファスナ、又は想像では紐、即ち、物品の一端を長手方向反対端に固着するいかなるものであっても良い。固着要素は、互いに接着するが、他の材料に接着しないような共接着剤（co-adhesive）であっても良い。
【００５２】
図に示す例において（例えば図１０を参照）、物品１０は、背面シート６０に永続的に張り付けられた（例えば直接縫い付けられた）テープファスナ２６によって着用者に張り付けられる。テープファスナ２６は、背面シートから延在する横方向に反対の耳２２と接触し、そこでファスナ２６に塗布された接着化合物のために張り付けられた状態に留まる。あるいは、物品１０は、トレーニングパンツ、プルオン式おむつ等であっても良い。この形態において、物品１０は、テープファスナ２６を有しても、又は有さなくても良い。
【００５３】
ウエストバンド
弾性部材５２を用いるウエストバンドは、着用された時に、ウエストバンドが着用者のウエストに沿って位置決めされるように、物品１０の横部に沿って位置決めされる。一般に、ウエストバンドは、好ましくは液体廃棄物がウエスト弾性材料及び着用者のウエストの間の領域から漏出しないように、ウエストに対する準シール（横弾性部材５２）を作り出す。液体は、充填材料によって最終的に吸収され得るが、着用者による液体の攻撃が、充填材料の吸収速度容量を圧倒し得るので、準シールは、有意義である。したがって、ウエストバンドは、液体が吸収される間、液体を含む。第二に、ウエストバンドは、液体を吸収する容量を有し得る（例えば、参照により本明細書に組み込まれる米国特許第５，６０１，５４４号を参照）。
けばのない吸収性複合材のための凝集体（及びエンボス加工）パターン及び材料の選択
【００５４】
図１５Ａ〜図１５Ｄの簡略化された説明図は、本開示による吸収性粒子の凝集体５１２の特に有利な配列を有する吸収性複合材５１０を表す（同様の参照番号は、同様の要素を示すために使用される）。最初に図１５Ａを参照すると、吸収性複合材５１０上の凝集体の各々は、パターン中で菱形の囲い５１４によって表される。好ましい実施形態において、ＳＡＰは、凝集体中で吸収性粒子として用いられる。更に、図１５Ａ〜図１５Ｄの各々におけるＳＡＰ凝集体は、好ましくは、全体にＳＡＰ凝集体の上に配置された第１の織物の、全体にＳＡＰ凝集体の下に配置された第２の織物との係合によって提供される、容器又は物理的取り込みによって、定位置に維持され、且つ安定化される。したがって、図１５Ａの代替的な図において、菱形ユニットは、容器又はポケットの輪郭を示し、本明細書で以前記載したように、特定の実施形態において、上部織物の下部織物との係合を反映する。
【００５５】
以前記載したように、ＳＡＰの吸収性能は、容器の寸法及び構造によって影響を及ぼされ得る。ＳＡＰは、更に飽和するので、その透過性は減少する。水分は、ＳＡＰ粒子内にすでに含まれる高レベルの水分のために、ＳＡＰ粒子を通過できず、且つ最終的にＳＡＰは、更なる流体がそこを通過することを完全に停止できる。このことは、ゲルブロッキングとして知られる。同様に、ＳＡＰは更に飽和すると、膨潤し、且つその体積が増加する。一定容積の小さい容器内にＳＡＰを閉じ込めることによって、ＳＡＰの膨潤を制限し、且つその最高飽和レベルに達することを妨げる（したがって、ＳＡＰがその最低レベルの透過性に達することを止める）ことが可能である。ＳＡＰ粒子が制限される程度は、容器の性質及び寸法、（例えば側壁に沿った）容器内の破損の寸法及び頻度、容器内に配置されたＳＡＰの量、及びＳＡＰによって吸収された流体の量を含む、多数の因子よって決まる。更に、ＳＡＰの性能特性は、その飽和度によって影響を及ぼされる。具体的には、透過性、吸収速度、（複合材中の空所から生じる）毛細管圧のような、吸収性複合材特性は、ＳＡＰが乾燥から完全飽和に変わるにつれ、著しく変化する。本開示の方法によれば、ＳＡＰの標的又は最適性能は、ＳＡＰの膨潤を物理的に制限し、且つＳＡＰの最高飽和点を抑えるように、容器の寸法及び／又はＳＡＰ濃度を変化させることによって達成され得る。これらの物理的特徴を組み込むことにより、好ましい透過性レベル又は好ましい吸収特性が、吸収性の芯の標的領域において達成され得る。したがって、ポケットの寸法及びポケット内のＳＡＰ量の２つの変数を使うことによって、その容器又はポケットの最小透過性が、「設定」され得る。おむつのいくつかの領域におけるポケットは、ゲルブロッキングすることが妨げられても良く、且つ芯のその領域の透過性は、最適化され得る。ポケットの寸法勾配が、最大の流れ及び吸収性芯の利用を得るために同様に確立され得る。この勾配は、標的ゾーンからおむつの端部又は側面に向かって放射状である。
【００５６】
容器又はポケットの種々の配置は、ＳＡＰ及び芯の利用を同様に促進し、且つ流体が容器を迂回することを妨げる。理想的には、流体は、ＳＡＰが、ＳＡＰの特性によって、又はそれが拡張するポケットの容積によって設定される、最高飽和レベルに達するにつれ、容器から容器に漏出又は流れるべきである。出願人は、いくつかの以前に記載した複合材又はポケットの配置（図６を参照）において、流体が、ポケット間で漏出する傾向があり得ると考える。即ち、流体は、エンボス加工したラインによって形成される溝に沿って流れ、且つ芯に入れない。この傾向を緩和するために、容器の配置又はパターンは、好ましくは芯の中心から芯の側部マージンまでの（端縁部での）流体の流れの（エンボス加工したラインに沿って確立され得るような）短く、且つ直接的な経路を最小限に抑えるか、又は取り除くものである。例えば、菱形容器によって形成される斜線又は溝は、長く、且つ遠回りであるので、菱形として形作られる容器又はポケットは、正方形又は長方形に形成されたものよりも好まれる。縁部に急速に流れる溝を有さないように包装されるならば、円も効果的である。更に好ましい配置において、流体の流れは、おむつの側面を通って流れる前に１回以上方向を変更することを強いられる。
【００５７】
乳幼児用おむつ又は成人用失禁製品の吸収性の芯は、芯の解剖学的に位置合わせされた領域において流体を速く吸収し、製品の側面又は端部での漏出なしに全ての流体を吸収し、且つ特に使用者の体重によって引き起こされる圧力下にある時に使用者の皮膚を濡らさずに、その流体を保持し続ける必要がある。本開示は、ＳＡＰを保持する容器の寸法、並びに容器の配置によって規定される様々な性能パラメータを有する芯の領域を提供することによってそれを達成する。したがって、芯は、ポケットの寸法及び／又はそのポケット内のＳＡＰの濃度を変更することによって最適化された性能特性に達するように設計され得る。
【００５８】
本明細書に示すいくつかの配置において、設計特徴は、漏出する可能性が低く、湿りを速く吸収し、且つ使用者にとって乾燥し、快適な感触を提供する芯を提供するために組み合わされる。芯のクロッチ領域で、容器の寸法及びＳＡＰの装填が、高い透過性を有する開放構造を提供するために、最適化され、流体の速い捕捉又は侵襲点（point of insult）及び使用者の皮膚から離れた分配をもたらす。透過性は、ＳＡＰが、更なる膨潤を制限する容器の物理的な制約のために膨潤した時にも維持される。このことは、液体が、標的ゾーン（クロッチ領域）から更に離れた領域に向けて更に効率的に広がることを可能にし、且つ吸収性の芯のより良好な性能及び利用に貢献する。芯の周縁に近接し、且つ越える領域のような、クロッチ領域から離れた領域で、透過性は、流体の速度を落とすために減少する。吸収容量は、大きなポケットによって増加し、ＳＡＰが、更に十分に膨潤すること、及び更なる流体を保持し続けることを可能にする。
図１５Ａで、吸収性粒子凝集体５２２の大きな菱形の容器又はポケット５１４が、侵襲点と解剖学的に位置合わせされた領域に存在する。容器は、次に芯５１０の側面、並びに前及び後のマージン又は縁部に向かって寸法を徐々に減少させる。容器の３つの異なる領域がある。クロッチ領域「Ａ」において、大きな菱形ポケットが、提供される。クロッチ領域（Ａ）のそれよりも小さい寸法のポケットの中間領域「Ｂ」が、クロッチ領域に隣接し、且つ取り囲む。とりわけ、この中間領域（Ｂ）の小さいポケットは、ＳＡＰ凝集体の周りの、エンボス加工ラインに沿った潜在的な流体の流れの中断を提供する。以前記載したように、側部マージンを通る流体の流れの直接的な流出に対するかかるバリアの提供は、漏出を防止し、且つＳＡＰ凝集体の利用を促進する。最後に、ポケットの第３の領域「Ｃ」が、ＳＡＰ凝集体のなおも小さい寸法のポケットによって装着される芯５１０の各端縁部の近くに存在する。
【００５９】
図１５Ｂは、ＳＡＰ凝集体５２２及びポケット５１４の第２の代表的な配置を例示する。この例において、小さい菱形ポケット５２２が、流体侵襲点と解剖学的に位置合わせされた領域に配置される。ポケットは、次に芯の側面並びに前及び後縁部に向かって配置された領域において寸法を徐々に増加させる。（図１５Ａ及び図１５Ｂの）２つの配置は、予期される流れ勾配、及び液体侵襲の取扱いを組織化する代替的な方法を提供する。図１５Ａの吸収性複合材及びポケットの配置は、最初に大きい容量を有するが、時間の経過に伴い、その空の容積内に、又はその後の液体侵襲から小さい隣接したポケット又はセルに液体を再分配する中心領域を提供し得る。図１５Ｂのパターンにより、中心領域は、小さい容量を最初に備えてもよく、それにより液体が大きなセルまで動く。それは、おむつの側面及び端部からの漏出を防止する表面トポグラフィも発生させ得る、即ち、表面の流れを遮断し、且つ吸収する「ダム」が作り出される。
【００６０】
図１５Ｃ及び図１５Ｄは、ＳＡＰ凝集体用の円形ポケットが用いられる代替的な配置を提供する。図１５Ｃで、大きな円形ポケットが、侵襲点と解剖学的に位置合わせされた領域に存在する。ポケット５３４は、芯５３０の側面、並びに前及び後縁部に向かって寸法を徐々に減少させる。パターンは、図１５Ａで用いられたものと類似するが、菱形よりもむしろ円形ポケットを有する。図１５Ａにおける配置の多くの特性は、図１５Ｃの設計に形を変える。
【００６１】
しかしながら、菱形ポケットと異なり、円形ポケットによって完全に密集したパターンを生成することは、可能でなく、且つ円形ポケット間の結果として生じた空間は、多数の方法で配置され得る。円形ポケット間の空間が、完全にエンボス加工できる（即ち、ポケット間に大きなエンボス加工された、熱加工領域を有する）か、部分的にエンボス加工できるか、又はエンボス加工できないことが予見される。空間は、同様にＳＡＰを含んでも良いか、又はＳＡＰがなくても良い。
【００６２】
図１５Ｄは、パターンが、図１５Ｂに見出されるものと類似する、本発明の更なる実施形態を例示する。この例において、小さい円形ポケット５４４が、流体侵襲点と解剖学的に位置合わせされた領域に配置される。ポケット５４４は、芯の側面、並びに前及び後縁部に向かって配置される領域において寸法を徐々に増加させる。この場合も、ポケット５４４間の空間は、以上に記載されたように、多数の方法で利用できる。
配置及びエンボス加工されたパターンが、菱形ポケット又は円形ポケットの使用に限定されないことが注目されるべきである。他の形状が、検討される。いくつかの配置は、同じパターン内で異なるポケット形状でも利用できる。
次の表は、ＳＡＰ濃度が、芯にわたって均一なままであると仮定して、異なるポケット寸法の特性を要約する。
【００６３】
【表１】
2019181237.tif 000002
【００６４】
吸収性粒子の構成及び／又は安定化のシステム、方法及び構造
本開示による吸収性複合材を提供する更なる応用例において、以前の例で用いられた１つ以上の不織ウェブは、更に開放した構造と置き換えられる。かかる不織布の例は、カーディング加工されたＰＥＴウェブ、エアスルー結合不織布、樹脂結合不織布及び非吸収性エアレイド構造を含む。捕捉及び分配層（ＡＤＬ）として知られる材料は、適切な材料の一覧に含まれる。結果として生じた構造は、吸収性粒子を含むための代替的な手段を、更に具体的には繊維網内であるが、繊維の吸収性マトリックスを使用せずに（即ち、パルプなしに）提供する。構造は、不織ウェブ層によって提供される繊維網内でのＳＡＰの分配を促進する。更に開放したウェブへのＳＡＰ粒子のこの分配は、繊維網内での粒子の絡み合いを単に通して、不織布内でＳＡＰを更に安定化させる機構をとりわけ提供する。
【００６５】
図１６Ａは、以前記載した複合構造を例示する。複合材は、下層（ＮＷ１）及び上層（ＮＷ２）として不織布を用い、ＳＡＰ材料の層（ＳＡＰ）を中に挟む。図１６Ｂは、嵩高い不織布（「嵩高い」ＮＷ１）が、ベース層として用いられる、代替的な構造を例示する。嵩高い不織布層ＮＷ１は、外部に延在し、且つＳＡＰを絡ませる繊維を提供する。更に開放した材料における繊維とのかかる絡み合いは、吸収性複合材内でのＳＡＰの安定化をもたらす。製造工程において、嵩高い不織布のシート又はウェブに適用されるＳＡＰ粒子は、更に開放した不織ウェブの繊維網への進入を促進するようにエネルギーを与えられても良い。ＳＡＰ粒子は、ウェブに敷設されるので、粒子に対する重力の効果は、所望の進入を促進するために十分であり得る。真空又は振動のような技術は、開放した繊維網へのＳＡＰ粒子の進入を更に強化するために使用され得る。
【００６６】
ＳＡＰの安定化は、処理、貯蔵及び使用中の材料の動きを妨げる。代表的な実施形態において、吸収性複合材又は芯は、以前記載したように、接着剤及びＳＡＰ凝集体の容器又はポケットの使用に加えて、ＳＡＰを安定化させるための（図１６Ｂのような）「嵩高い不織」構造を用いても良い。
更に開放した不織材料が、追加の性能特徴を提供できることが、同様に注目されるべきである。これらには、流体の速い捕捉、及び使用者のための改良された乾燥度（再び湿ること）を含む。同様に、吸収性マトリックは、「平坦な」不織ウェブよりも柔らかく（海綿状に）感じられ、且つ更に柔軟な複合材を提供する。このことは、使用者に対して高い快適さ、及び使用者の体の輪郭の周りでの更に良好な取り付けをもたらし、漏出の可能性を低下させる。
【００６７】
ここで図１７Ａ〜図１７Ｂの説明図を参照すると、代表的な吸収性複合材は、好ましくは「嵩高い」不織布の上層を提供される。説明図は、図１５Ａの複合材の略断面図とみなされても良い。ＳＡＰを含むために使用される基材は、開放構造不織布なので、大きな細孔（〜２０００ミクロン）を特徴とする。エンボス加工は、嵩高い弾性繊維ウェブ基材の局所細孔構造を設定し、且つ安定化する。エンボス加工パターンが小さい（小さい容器を利用する）領域（図１７Ａ）は、大きい毛管孔隙を作り出す（１７Ｂ）大きいエンボス加工パターンを有する領域（図１７Ｂ）と比較して小さい細孔を作り出す（図１７Ａを参照）。換言すると、小さいパターンを特徴とする小さい繊維間距離は、高い密度及び高い毛管現象をもたらす。大きなパターンは、低い密度及び低い毛管現象をもたらす大きな繊維間距離を提供する。芯にわたるポケットのこの組合せの結果は、図１７Ｃに例示するような、最適化されたウィッキング構造である。標的領域に位置する大きな細孔及び侵襲点から離れた小さい細孔により、流体の流れのための有効な導管が生じる。この導管は、重力に逆らって液体を更に効率的に運搬するために利用され得る。（図１７Ｃの液体の動きの説明図を参照）。かかる有利な構造は、エンボス加工パターンの適切な選択によって不織布基材内で作り出すことができ、それ故に液体が、更に広がることを可能にし、芯の利用及び吸い込みを強化する。
【００６８】
更なる実施形態において、図１７Ｃ及び図１７Ｄに関連して、三次元パターン又は輪郭は、ＳＡＰ膨潤の結果として、使用（液体の取り込み）中に形成され得る。図１７Ｃ及び図１７Ｄに示すように、異なる寸法のポケットは、膨潤容量の差を提供し、それは次に膨潤差をもたらす。ある点において、ダムが、大きな膨潤を有するポケット（即ち、大きな枕）によって作り出されても良い。この構造的な結果は、側方及びウエストの漏出を減少させることに役立つ。大部分の場合において、制御されない液体（製品の表面に貯まる液体）は、漏出の生成に繋がる。ＳＡＰ膨潤として発生した三次元トポグラフィは、エンボス加工パターンの寸法／頻度によって規定される。表面トポグラフィを自然発生できる吸収性の芯は、（側方漏出を防止するために）幅方向の表面の流れを阻害できるか、又はウエスト領域（芯の長手方向端部）での漏出を抑制できる。図１５Ａのポケットの構造及び配置は、これらの特性を吸収性の芯において達成するために、良く適している。
ＳＡＰを用いて吸収性複合材を製造する更なる代表的な方法及びシステム
プロファイリングと称される方法において、ＳＡＰ投与速度は、プロファイルされた芯を生成するために変えられる。例えば、プロファイルされた芯の設計に関して米国特許出願第１２／９２５，７６５号を参照。この文献は、参照により組み込まれ、且つ本開示の一部にされる。プロファイルされた芯構造は、必要とされる芯の領域で更に吸収性の材料を提供することによって、改良されたおむつの性能を提供する。プロファイルは、複数の吸収性複合材層を、但し異なる長さで（例えば、短い上部芯、全長の下部芯）積み重ねることによっても達成され得る。更に効率的な解決策は、ＳＡＰの適用中にＳＡＰ投与速度を変化させ、且つ芯が、おむつのラインに変換される時、高いＳＡＰ投与量領域をおむつのクロッチ領域と位置合わせすることであり得る。かかる方法は、積み重ねられた芯よりも少ない不織材料を利用するので、更に効率的であり得る。それはまた、費用効果が高い。
【００６９】
一実施形態において、粉末ホットメルト接着剤が、追加の結合を提供するために、ＳＡＰと混合される。ＳＡＰ及び接着剤混合物は、２つの不織ウェブの間に分配され、且つホットメルト接着剤は、複合材を加熱装置に通すことによって「活性化される」。適切な装置は、熱ローラ、赤外線ヒータ等を含む。接着剤は溶融し、且つＳＡＰ及び不織布を一緒に結合する。このことは、パターン化エンボス加工／超音波工程と組み合わせることもでき、以前記載したようにポケットパターンを生成する。概して、接着剤／ＳＡＰは、１質量部の接着剤に対して１０〜１００部のＳＡＰの比率で混合される（１〜１０質量％）。多すぎる接着剤は、ＳＡＰの吸収性能を限定し、他方で少なすぎる接着剤は、構造的完全性を犠牲にし得る。好ましくは、接着剤は、ＳＡＰ粒子当たり約１〜２個の接着剤粒子の割合で塗布される。正確な割合は、ＳＡＰ及び接着剤の平均粒径及びＳＡＰ密度が、知られているならば、算定できる。
【００７０】
ここまで記載された吸収性複合材は、オフライン及びオンライン製造工程の両方における製造に良く適している。オフライン工程において、芯製作機は、他のいずれの工程とも分かれるようになり、且つ花綱で飾った材料のロール、スプール、又は箱を製造し、それは次におむつ変換ラインに送出される。概して、但し必ずしもではないが、図６〜図７の製品に関連した機械は、以前に記載したように、吸収性複合材の幅広いシートを製造する。製品は次に、おむつ変換ラインで使用するための材料の多数のロールを製造するために細長く切られ、例えば幅１．５ｍの機械は、幅１００ｍｍで１５ロールの材料を製造する。オフライン工程において、オフライン機は、概しておむつ変換ラインよりも遙かに遅い速度で作動する。オンライン工程において、芯製作機は、おむつ変換ラインの一部であり、且つ芯は、おむつ変換工程の一部にされる。芯製作機の出力速度は、おむつ変換ライン速度と一致させねばならず、且つ芯の幅は、製品内の芯の幅と一致させる。
【００７１】
図１８Ａに記載したオフライン工程において、基材Ａと、第２の基材Ｂと、２つの基材間に配置されたＳＡＰコーティングとを有するＳＡＰサンドイッチが、形成される。一実施形態において、ＳＡＰは、２つの基材を一緒に結合することによって固定化され、ＳＡＰを層間の離散した平坦な容積内に含む。次のＳＡＰ安定化方法の１つ又は組合せが、用いられ得る。第１の工程において、熱エンボス加工又は超音波結合が、基材層を規定されたパターンで溶解するために用いられる。第２の工程において、接着剤が、基材内面の一方又は両方に塗布される。２つの基材は、次に有利なエンボス加工パターンにより、一緒に戦略的に結合される。第三に、低融点接着粒子のような熱バインダは、ＳＡＰ粒子と混合されても良い。外部加熱が、次に複合材に加えられ、接着剤を活性化又は溶融し、それにより粒子を基材に、且つ相互に結合する。ここで、液体吸込みの強化のために、更に開放したＳＡＰ層の構造を維持しながら、パターン化エンボス加工ステップが、積層品質を強化するために使用され得る。パターン化を望まないならば、（パターン化されない）平滑なカレンダロールが、カバー層をＳＡＰ層に結合し、サンドイッチ構造を製造するために同様に用いられ得る。
【００７２】
オンライン工程において、芯形成工程は、おむつ変換工程と直接連結される。ＳＡＰサンドイッチ構造は、以上に論じた第１及び第２の工程と同様に、オフライン工程の３〜４倍の速度で形成される。第３の方法は、ＳＡＰに混入される熱バインダを加熱及び活性化するために必要とされる短い滞留時間のために、速いオンライン工程に適さないことがある。オフライン工程は、幅広い材料を低速で製造するように設計される。材料出力は、次にいくつかのおむつラインに供給する狭い幅に切られる。対照的に、オンライン工程は、狭い（１−幅の（1-wide））材料を高速で製造し、且つ唯一のおむつ製作機用の芯材料を一度に供給するように設計される。
【００７３】
したがって、上記の第３の方法によるオフライン法を使用する好ましい実施形態において、少量（１０％以下）のホットメルト粒子が、ＳＡＰに混入される。この粒子混合は、基材Ａ上に均一に堆積され、且つ次に、放射ＩＲ加熱を受け、接着粒子を溶融する。第２の基材Ｂは、次に材料が依然として熱い間に、頂部に置かれる。層は、パターン化ロール／平滑なアンビルエンボス加工システムによる熱エンボス加工を使用して、直接一緒に積層される。下記表２は、工程を要約し、且つ好ましい実施形態のいくつかのパラメータを提供する。
【００７４】
【表２】
2019181237.tif 000003
【００７５】
スイスのＳａｎｔｅｘ、Ｔｏｂｅｌによって製造されるコーティングラインは、ＳＡＰ散乱技術、ＩＲ加熱及びウェブ取扱いを提供し得る。例えば、図１８Ｂを参照。図１８Ｂに示すように、散乱装置は、混合物を混合し、且つウェブ上に適用するために、ホッパと、標準回転針ロールとを利用する。ＳＡＰ材料は、用途に対するその適合性によって選択されるが、一般に負荷の下で高い保持容量及び高い吸収性、例えば２０〜４０ｇ／ｇの遠心保持容量（ＣＲＣ）、１００ｇ／ｇを超える圧力吸収性指数（ＰＡＩ）を有するＳＡＰが、好まれる。代表的なＳＡＰは、日本触媒によって製造されるＭ−１５１である。適切なホットメルト接着剤は、Ａｂｉｆｏｒ  Ｐｏｗｄｅｒ  Ｔｅｃｈｎｏｌｏｇｙ、スイスから現在入手可能な低融点ＥＶＡポリマー、Ａｂｉｆｏｒ  １６０５、０〜２００ミクロン粒径級である。図１８に詳細に示すように、容易に入手可能な散乱装置は、混合物を混合し、且つウェブ上に適用する際に針ロールを用いる。本実施形態に関して特定された結合パターンは、ＭＤ方向に配向された５０ｍｍの長軸の長さ、及び２２ｍｍの短軸の長さを有する細長い菱形である。例えば、図１８Ｃを参照。
【００７６】
図１９は、上記で図１８Ａ〜図１８Ｃに関して記載された方法及びシステムによって製造される吸収性複合材９１０を示す。好ましくは、複合材９１０は、嵩高い不織布である下部基材Ａと、上層又は基材Ｂと、２つの層の間に位置し、且つ（上述のような）ホットメルト接着粒子ＨＭがちりばめられた超吸収性粒子Ｓとを含む。更に好ましくは、上部基材Ｂは、容易に入手可能であり、且つ当技術分野で理解される組織材料によって提供される。上部基材Ｂは、代替案において、第２の嵩高い不織布層又はＳＭＳ又はスパンボンド（「嵩高くない」）不織布層によって提供されても良い。
上述のように、吸収性複合材９１０の積層体は、オンライン又はオフラインで製造され得る。積層体は、同様に上述のように、追加の又は異なるＳＡＰの装填（即ち、プロファイルされた芯）を組み込むように修正できる。オフライン工程において複合材は、幅広いシートとして送出でき、細長く切られ、且つ個別の芯複合材部分に分割される。
【００７７】
図２０Ａ及び図２０Ｂは、吸収性の芯積層体８１２又は吸収性複合材８１０を組み込む（平らに置かれた）使い捨ての吸収性物品８１２の断面図である。添付図面を記載する際の便宜のために、使い捨ての吸収性物品の完全な吸収性の芯を提供するために延在される、完全な吸収性複合材は、吸収性の芯積層体と称してもよく、他方で吸収性複合材は、積層体の区分又は部分の構成要素を記載するために使用できる。請求項を含む他の箇所では、用語は、区別をせずに使用できる。吸収性の芯積層体８１２は、その中に含まれるＳＡＰ（超吸収性粒子（Ｓ））の凝集体８１６を有する複数の離間したポケット８１４を特徴とする。図２０Ｃは、これらのポケット８１４の１つの詳細な断面立面図を提供する。図２０Ｃは、好ましい吸収性複合材８１０の構成要素も示す。
【００７８】
ここで図２８を参照すると、本開示による吸収性の芯積層体８１２を吸収性の芯として組み込む、（平らな状態に置かれた）基本的使い捨ての吸収性物品８６２が、示される。吸収性の芯積層体８６０は、上部シート８６４によって完全に覆われるが、便宜上、上部シート８６４は、透明であるように示される。吸収性の芯積層体８６０は、側部マージン８６８によって幅広い背面シート８６６上に支持される。各側部マージン８６８は、吸収性の芯積層体８６０の両側に凹形状を示す切り欠きを備える。一般に知られているように、凹形切り欠きは、使用者の大腿部の周りでレッグホールと一致、又は対応する。
再び図２０Ｃを参照すると、好ましい構成において、不織材料は、（吸収性物品製品の製造中に）複合材のベース又は下層８１８を提供する。製品の使用中、ベース層８１８は、吸込みを直接受ける際に吸収性複合材８１０の身体側に位置決めされることとは対照的に、身体から離れて位置決めされるとして記載され得る。更にこの実施形態において、ベース不織布層８１８は、その上に塗布される接着層８２２を有する。接着層８２２は、以下に記載するように、ベース不織布８１８の上に、且つ有利な開放パターンで、連続したビードとして好ましくは送出される。
【００７９】
吸収性複合材は、接着層８２２の上に、且つ下部不織布８１８及び上部不織布層８２６の間に位置決めされたＳＡＰ層８０６も含む。この実施形態において、ＳＡＰ層８２４は、いかなるバインダ材料又はマトリックスの形状もなしに、ＳＡＰ粒子Ｓのみから構成される。それは、けばのない、又はパルプのないとしても記載され得る。上部不織布層８２６は、好ましくはＳＡＰ層８０６の上面で、又はその近くでいくつかのＳＡＰを横方向に絡ませる、又はそれに向かって延在する繊維を有する嵩高い不織布材料によって提供される。上部不織布８２６は、エンボス加工によって、且つ更に好ましくは点結合によってベース不織布８１８に好ましくは結合される。結合点８２８は、ポケット８１４の周縁を画定し、且つ同様に、ポケット周縁で弾性の嵩高い不織布８２６を圧縮し、（図２０Ｃに示すように）全体的な気泡又はドーム形断面を示す。図２９の簡略化された説明図は、吸収性複合材８１０の、且つ特には複合材の構成要素の代替的な図を、ポケット８１４の周縁の周りでの圧縮及び点結合を示さずに提供する。
【００８０】
この好ましい構成において、嵩高い不織布層８２６は、ＳＡＰ層８２４と接触し、且つ覆い、それによりＳＡＰ粒子Ｓの運動を制限する。嵩高い不織布層８２６は、同様に有利には、製造及び製品取扱い中に上層として位置決めされ、それにより使用前であってもＳＡＰ粒子の運動又は移動を制限する。吸収性物品の使用中、嵩高い不織布８２６は、同様に有利には身体側に位置決めされ、ＳＡＰ層へ、及びそれを越える吸込みを受け、且つ分配する。
この好ましい構成において、ＳＡＰは、以前記載したように、ポケット又は容器８１４内で各々が維持される、離散し、離間したＳＡＰの凝集体又は塊８１６として組織される。２つの不織布層８１８、８２６は、結合部位で、又は更に具体的には離散し、離間した結合点８２８の配置で結合される。したがって、嵩高い不織布８２６は、ＳＡＰ凝集体８１６上で何重にもなり、且つ断続的に固着され、且つＳＡＰ凝集体８１６を定位置に維持することに役立つ。嵩高い不織布の使用を通して吸収性複合材及び吸収性の芯積層体に対して与えられる独自の機能及び特性は、以下で更に記載される。
【００８１】
図２１の分解組立図は、好ましい実施形態による吸収性複合材８１０又は吸収性積層体８１２の種々の構成要素又は層、及びその相対的な位置を見せる。図２２は、複合材の構成要素が一緒にされる順序を示すことによって複合材を製造する基本的工程又はステップを例示する追加の分解組立図を提供する。図１〜図５を含む、複合材を用いる吸収性複合材又は吸収性物品を製造する先行する記載、及びそれに関連した記載も参照すべきである。その中に記載された多くの工程ステップ及び工程構成要素は、図１９〜図２９の吸収性複合材の製造における使用に応用又は適応できる。
【００８２】
好ましい方法の初期ステップにおいて、不織布８１８のウェブは、従来の方法で運搬され、次に接着剤アプリケータのそばに通される。吹き付け接着剤アプリケータは、好ましくは連続したビードを不織布８１８に開放接着パターンで（図２２Ａを参照）送出する。このようにして、接着剤のループ８２２ａが、（均一層又はフィルムよりもむしろ）接着剤のない開放領域を特徴とする、又は規定する不織布材料８１８の表面に提供される。代表的な実施形態におけるループ８２２ａは、以前記載したポケット８１４よりも小さく（即ち、幅又は直径）、直径は概して１ｍｍ〜２５ｍｍの程度である。
図２２Ｂは、接着層８２２、又はその上に予め適用される開放パターンを有するベース不織布層８１８からなる基材への本明細書に記載された、又は当技術分野で知られた方法によるＳＡＰ凝集体８１６の送出を例示する。具体的には、ＳＡＰは、気流を介して、且つ本明細書に以前記載されたような、又は当技術分野で知られた、従来の真空システム又は吸引機構の使用を通して送出される。不織布８１８のウェブに対して、且つその下に適用される吸引は、ＳＡＰを不織布８１８に向けて引き、且つ（図２２Ｂに示すように）ＳＡＰの凝集体又は塊８１６の所望の事前配置に組織化する。真空システムは、不織布の下部をより良く係合し、且つＳＡＰ凝集体の標的幾何学的配列を画定するために、スクリーン又はメッシュ界面を用いても良い。したがって、界面は、ＳＡＰ凝集体８１６の所望のポケットパターンと対応する吸引パターンを示す。真空システムは、好ましくはＳＡＰをウェブの上の流れから、離散塊又は凝集体へ、吸引機構の上のウェブ上で直接引っ張る。側面及び端部に沿った領域を含むいくつかの領域は、ＳＡＰのない（並びに接着剤のない）ゾーンとして設計され、且つ意図的にＳＡＰのない状態に残される。
【００８３】
ＳＡＰは、最初にウェブにわたって分配されることとは対照的に、一般に所望の配置に直接分けられ、次に（代替的な実施形態でのように）ウェブ上に緊密な濃度を形成する前に、ウェブの周りで動かされる。ＳＡＰは、一般に標的の複数のＳＡＰ凝集体８１６を形成するために、ウェブ上で接着剤の上を動く必要がない。したがって、結果として生じたウェブは、その上に開放接着剤パターン８２２を有する不織布ベース層８１８及び離散し、離間したＳＡＰ凝集体８１６の配置又は層８０６から構成される。ＳＡＰの塊は、一般に接着剤上に置かれ、且つそれと接触するが、接着剤の開放パターンは、そのＳＡＰ凝集体の接触の下層よりも実質的に少なく占める。しかしながら、接着剤に接触するＳＡＰ粒子は、一般に固定化され得ることに注目すべきである。かかる固定化されたＳＡＰ粒子に隣接して位置決めされ、且つそれと接触する別のＳＡＰ粒子は、次にそのＳＡＰ粒子（及び／又は他の隣接したＳＡＰ粒子）によって（動きが）制限され、且つ少なくとも部分的に固定化され得る。かかる摩擦機構は、ＳＡＰ粒子の水平運動を少なくとも部分的に妨げる。
【００８４】
不織布ＳＡＰのウェブが、前方に、且つ真空システムから離れて動く時、接着パターン８２２は、ＳＡＰ凝集体８１６の所望の配置及び位置を維持するために働く。その後のステップにおいて、第２の不織布８２６のウェブは、不織布ＳＡＰ積層体に向かって運搬され、且つその上に当てられる。図２２Ｃを参照。以上に論じたように、好ましい上部不織布８２６層は、嵩高い不織布である。おむつ又はトレーニングパンツのような吸収性物品を製造する工程におけるＳＡＰ凝集体８１６の更なる処理及び運動により、追加の不織布８２６は、追加のカバーを提供し、且つＳＡＰ凝集体８１６を所望のパターンに保持するように働く。完成製品に、且つ使用中に有利な機能を提供することに加えて、嵩高い不織布８２６は、図２９に示すように、上層のＳＡＰ粒子Ｓを絡ませ、それにより（製品製造中、次に製造後の製品取扱い中に）ＳＡＰ凝集体８１６の固定化を推進する。ＳＡＰの嵩高い不織布の繊維との絡み合いは、ＳＡＰ凝集体８１６の頂部近くでのＳＡＰの横及び垂直運動を制限し、且つその直接下でのＳＡＰの動きを同様に妨げる。本明細書で注目されるようにＳＡＰ及び嵩高い不織布は、所望の絡み合い及び進入程度を考慮して規定及び選択される。
【００８５】
次に、２つの不織布及びその間のＳＡＰ凝集体のウェブは、ウェブを係合し、且つ圧縮するカレンダロールに引き渡される。カレンダロールは、以前記載したように、ウェブ上のポケットパターンに対応するパターンを有する表面彫刻を備える。図２３は、不連続点結合を使用する典型的な接合吸収性複合積層体８２６を描く。点は、エンボス加工後の嵩高い不織布８２６の圧痕を反映する。点は、ポケット８１４の結合点８２８でもある（図２０Ａ〜図２０Ｃの断面図も参照）。２つの不織布をＳＡＰ凝集体８１６の周りで一緒に固着することは、ＳＡＰ凝集体８１６及び結果として生じた吸収性積層体８１２の配置を維持する別の機構を提供する。本明細書でこれから論じられるように、結合部位の配置は、ＳＡＰ凝集体８１６のポケット８１４を置き、且つ画定する幾何学的格子８３０を提供する。
【００８６】
したがって、代表的な実施形態において、好ましいＳＡＰ積層体構成は、吸収性物品の製品製造及び製造後取扱い中に、ＳＡＰ凝集体の所望の配置からＳＡＰ粒子の移動を阻害するために、いくつかの構造特徴を引き出す。最初に、接着剤は、ベース不織布層に提供され、且つＳＡＰ凝集体は、接着剤の上に置かれる。任意の接着層が送出される。しかしながら、いくつかの下層のＳＡＰ粒子とのみ接触するが、これらの接触されたＳＡＰ粒子を越えるＳＡＰ粒子の運動を阻害する閉ループの開放パターンにある。ＳＡＰ凝集体の上に上部不織布層を適用することは、ＳＡＰの動きを更に制限するために、最小限塗布される接着剤を増加させる。有利には、ベース不織布に送出されるＳＡＰ層は、パルプがなく、且つマトリックス又はバインダがなく、複合材の吸収及び流体取扱い性を最適化する。それは同様に接着剤がないが、接着剤の下層に関してである。したがって、ＳＡＰ層の多く、特にＳＡＰ層の中間部分は、ＳＡＰからなり、他の材料は、代替的な実施形態において、有効な特性を与えるために含まれても良い。ＳＡＰのみの構成要素の優勢は、以前論じたような、更に薄く、軟質で、柔軟なＳＡＰ構成をもたらす。同様に、（ＳＡＰ粒子の移動を阻害する）定位置に適切に維持される、ＳＡＰのみの構成要素の大きな部分は、改良された吸収特性及び流体取扱い性を提供する。
【００８７】
更なる強化として、好ましいＳＡＰ積層体構成は、図２２の積層体構成と併せた離散又は断続的結合点の配置を利用する。図２３を参照。断続的な又は離間した結合点を提供するエンボス加工パターンは、図２０〜図２２のＳＡＰ積層体構成の利用及び／又は吸収性積層体の頂部又は身体側層としての嵩高い不織布層の使用（又はその逆）との相乗効果を提供する。結合点の間に提供される間隙は、ＳＡＰ積層体のＳＡＰのみの中間部分から通過する流体の流れを含む、流体が、ＳＡＰ凝集体の間を通過することを可能にする。嵩高い不織布及び／又は接着剤を提供することは、完全な又は連続した結合線の必要性を減少させる。同様に、嵩高い不織布及び／又は点結合の位置は、ＳＡＰ安定化に必要とされる接着剤の量を減少させる。
【００８８】
更に、長い結合点又は結合の実線よりもむしろエンボス加工点を使用することによる嵩高い不織布層の減少した構成は、弾性的な嵩高い織布が拡張し、且つ有利には流体吸込みを受け且つ分配することを可能にする。エンボス加工によって加えられる圧力は、図２０Ｃに示す結合点で嵩高い不織布を圧縮するが、弾性の嵩高い不織布は、結合点から跳ね上がる。図３０も参照。このことは、流体取扱い機能が十分に可能な、更に開放した構造をもたらす。更に、ＳＡＰのみの構成要素は、流体吸込みを受け、且つ吸収するように働き、且つ必要に応じて流体吸込みを、結合間の間隙を介して隣接したＳＡＰポケットに通過させる。ある点において、比較的開放した嵩高い不織布層の上面から、嵩高い不織布層を通り、且つＳＡＰのみの本体に、且つＳＡＰのみの本体中間層から、結合点間の間隙を通って横向きに、他方の好ましくは実質的にＳＡＰのみの凝集体に進む流体チャネルがある。
【００８９】
図２４の平面図は、離散結合点８２８によって相互に固着された、結合した吸収性の芯積層体８１２を示す。図２４は、この代表的な実施形態によるＳＡＰポケット８１４の好ましいパターンを示す。横幅の寸法及び長手方向長さの寸法を有する積層体８１２は、細長い。この段階の積層体８１２の形状は、全体に長方形である。エンボス加工は、上述のようにポケット間の流体の流れを強化するために、好ましくは断続的な結合パターンを用いる。選択されたポケットパターンは、菱形ポケット８１４を製造するために、菱形エンボス加工を使用する。菱形ポケット及び対応する格子の使用の利点は、その直線の交差する線によって、エンボス加工ロール上の彫刻パターン及び真空システムの界面を設計し、且つ一致させることが容易なことである。
好ましくは、菱形は、エンボス加工線又は一連の結合点が、芯の側部マージンと正方形でないように配置される。位置合わせされた結合部位が、積層体８１２の表面上に示し得る直線（ＳＬ）は、有利には、側部マージンに対して９０度未満の角度で、且つ更に好ましくは、約６０度〜３０度で配向される。このようにして、潜在的な流体経路を（即ち表面、及びポケット８１４の上、且つ線に沿って）提供し得る、相互に連結された結合線（ＳＬ）は、（別のパターンが表し得る）側部マージン８３４の垂直線よりも長い。このことは、側部マージン８３４への可能な流体漏出を扱い、且つ下流の非飽和ポケットへの流体経路の迂回を促進する。
【００９０】
吸収性の芯積層体８１２は、側部マージン８３４に近接し、且つ端部マージン８３６に近接するＳＡＰのないレーン８３８も特徴とする。ＳＡＰを送出し、且つＳＡＰ凝集体を下部不織布層に組織化するするステップは、これらの領域をＳＡＰがないままにし、ＳＡＰの使用を最小限に抑えるように設計される。領域は、その後に密封され、且つ側部マージンの場合に、湾曲した部分が、吸収性の芯積層体８１２から切り取られ、レッグ切り欠きを収容し、且つ／又は砂時計形の芯を製造しても良い。これらの領域におけるＳＡＰの欠如は、更に可撓性の、且つ折り畳み可能な材料層に貢献する。このことは製造工程で要求され得るような、比較的硬い、剛性のＳＡＰ材料を通して切断せねばならないこと（又は密封せねばならないこと）も回避し、それにより滑らかで、且つ正確な切断（及び密封）を促進する。おそらく、更に重要なことには、このことは、切刃の余分な摩耗、及び製造装置の保守及び休止時間を回避させる。
【００９１】
図２５の平面図は、代替的なポケットパターン及び結合パターンを用いる代替的な吸収性の芯積層体８４０を例示する。断続的な結合の代わりに、結合パターンは、実線の格子を発生させる連続した結合線８４２を用いる。以前記載した実施形態と同様に、菱形ポケット８４４が使用される。とりわけ、結合線の接続によって作り出された潜在的な流体経路は、側部マージンから離れた角度（即ち、４５度）に向けられ、それにより側部マージンへの直接的な流体ストランドの危険性を多少緩和させる。
【００９２】
本明細書で使用されるように、菱形ポケットは、４辺を有し、且つ２つの角が、好ましくは長手方向と相互に位置合わせされ、且つ他方の２つの角が横方向と位置合わせされる、ポケットを意味する。ポケットは、好ましくは積層体の横及び長手方向中心線と直角の長方形として位置合わせされず、結合線は、側部マージンへの「直接的な」直線経路を生み出す。本明細書で使用されるように、用語「格子」は、結合部位又はエンボス加工線に沿った交差線によって確立される幾何学的配列を意味する。更に、ポケットの配置又は幾何学的配列に関して本明細書で使用されるように、「直接的な」直線経路は、長手方向の中心線の近接から側部マージンへの連続し、且つ妨げられない（「折れていない」）経路を生み出すために接続する１以上の結合線を意味し、経路は、側部マージンに対して一般に垂直である。かかる直接的な直線経路は、側部マージンへの最短の流体経路を生み出す。明瞭にするために、垂線から３０度を超えて偏向したかかる直線経路は、直接的な直線経路でなく、間接的直線経路と称されるべきである。このように偏向されない直線経路は、「直接的な直」線経路とみなされる。
【００９３】
他の「格子」及び他のポケット形状並びにポケット配置が、用いられ得ることが注目されるべきである。用いられるいくつかのポケット形状は、側部マージンに対するいかなる直接的な、又は更に言うと、いかなる直線経路も示さない。これらは、円又は楕円形ポケットの配置を含む、本明細書に以前記載されたいくつかの配置を含む。
【００９４】
プロファイルされた芯複合材
この好ましい実施形態において、吸収性の芯を製造する方法はプロファイルされた芯構成を送出するステップを含む。方法は、以前記載された方法の更なるバージョンであり、且つ１つの好ましい工程において、以前の方法の全てのステップを組み込む。例えば、先行する方法は、単一のＳＡＰアプリケータを用い得るが、本方法は、第１のＳＡＰアプリケータによるＳＡＰ送出を増加させるために、第２のＳＡＰアプリケータを用いる。第２のＳＡＰアプリケータは、第１のアプリケータの上流（正面）又は下流に位置決めできる。第１のアプリケータのノズルは、標的となる芯の幅をカバーするように寸法が決められ得るが、第２のアプリケータは、芯の狭い部分をカバーするように寸法が決められ得る。更に、第２のアプリケータは、第１のアプリケータの送出期間の分数である特定の期間に送出するようにプログラミングされ得る。例えば、第１のアプリケータは、（側部マージンの狭いＳＡＰのないレーンを除き）ＳＡＰ芯のほぼ全幅に連続的に送出するようにプログラミングされ得る。第２のアプリケータは、狭い中心領域に、且つ／又は芯の中心領域に対応する断続的な期間、ＳＡＰを送出するように寸法を決められ、且つプログラミングされ得る。代表的な実施形態において、第２のＳＡＰアプリケータは、第１のＳＡＰアプリケータの下流に位置決めされ、それにより、不織布のウェブに最初に堆積されるＳＡＰの上にＳＡＰの第２の投与量又は装填を送出する。したがって、第２のアプリケータ（及び第１のアプリケータ）から供給されるＳＡＰ凝集体の配置は、第１のアプリケータのみから供給される他のＳＡＰ凝集体よりも高いＳＡＰ装填を有する。
【００９５】
以前のように、好ましい工程は、ウェブ上にＳＡＰポケットを組織化するために吸引機構及びスクリーンを用いる。送出後、ＳＡＰ装填は、迅速にＳＡＰ凝集体形成に引き込まれる。２つのＳＡＰアプリケータから供給されるＳＡＰ凝集体は、そのようにして供給されないポケットよりも厚く、且つ嵩高いＳＡＰ層を有するポケットを提供する。
好ましい配置において、二重のＳＡＰ装填されたポケットは、大部分の吸込みが起きる中心領域に置かれる。更なる実施形態において、２つのＳＡＰ装填の構成要素は、所望の混合、又は所望の吸収性若しくは流体取扱い性を達成するために、変えても良い。なおも更なる実施形態において、追加のＳＡＰアプリケータが用いられ、且つ所望のＳＡＰポケットパターン及び機能を生成するために、戦略的に置かれる。
【００９６】
嵩高い不織布の使用
本明細書で称されるような「嵩高い」不織布は、親水性の開放した繊維網又はウェブであるが、非吸収性繊維であり、且つそれを提供する。更に、本明細書で使用されるように、嵩高い不織布は、１００μｍ〜１０，０００μｍ（好ましくは１，０００μｍ〜５，０００μｍ）の厚さ、１５ｇ／ｍ2〜２００ｇ／ｍ2（好ましくは２０ｇ／ｍ2〜８０ｇ／ｍ2）の坪量、及び０．０１ｇ／ｃｃ〜０．３ｇ／ｃｃ（好ましくは０．０１〜０．０８ｇ／ｃｃ）の密度を有する繊維ウェブ材料である。更に、嵩高い不織布は、３００μｍ〜２０００μｍの有効細孔径を有する。概して、選択されたＳＡＰ粒子は、約３００μｍの平均粒径を有し、そのことは、ＳＡＰ及び選択された嵩高い不織布の間のある程度の進入又は絡み合いを確実にする。下記表３及び表４は、嵩高い不織布を更に定義し、且つ主要な特性間の相互関係を示すことに使用できる。（表中の影付き領域は、本開示による嵩高い不織布材料を指し示す）。有効な細孔径は、Dunstan & White, J. Colloid Interface Sci, 111 (1986), 60の方法に従ってウェブ密度、繊維直径、及び繊維密度値から推定され、有効な細孔径＝４＊（１−固体体積分率）／（固体体積分率＊固体密度＊固体比表面積）である。
適切な繊維は、ポリプロピレン（ＰＰ）、ポリエチレン（ＰＥ）、ポリエチレンテレフタレート（ＰＥＴ）、ポリ乳酸（ＰＬＡ）、ポリオレフィン、そのコポリマー、及び２成分繊維を含むそのいずれかの組合せを含む。繊維は、親水性であるように、繊維の表面張力を修正するために、表面活性化剤、界面活性剤によって通常処理される。
【００９７】
【表３】
2019181237.tif 000004
【表４】
2019181237.tif 000005
【００９８】
図１６及び図１７に関して上述のように、吸収性複合材における織物としての嵩高い不織布の使用からもたらされる流体取扱いの利益がある。更に、身体側に位置決めされる嵩高い不織布を有する吸収性複合材の配向は、流体吸込みの獲得及び分配をする吸収性複合材の能力を強化するので特に有利である。嵩高い不織布は、高い空隙の容積及び透過性を有し、且つ複合材が、流体を侵襲点から離して迅速に捕捉及び効率的に分配することを可能にする。
その上、記載されたエンボス加工パターンを有する嵩高い不織布は、次の特徴も有する。
・身体側層が、柔らかさの知覚を強化する、圧縮可能であり、且つ弾性の構造を作り出す時、嵩高い不織布によって提供される「枕」構造（例えば図２０Ｃ、図２９及び図３０を参照）。
・ポケット領域内で、液体が、頂部（大きい繊維間距離Ｉを有する更に開放した領域）から結合領域（小さい繊維間の間隔を有する更に密集した領域）に動くことを促進する細孔径勾配が存在する（例えば、図２０Ｃ及び図３０を参照）。これは、図３０に例示され、嵩高い不織布８２６が、結合点８２８に対する小さい繊維間距離Ｉを示すことを示す。毛管現象は、密度に反比例するので、密集した領域の毛管現象は、更に開放した領域よりも高く、それ故に不織布内の液体は、密集した領域に向かって引き込まれる傾向がある。このことは、頂部で残留する液体が、結合領域に向かって、且つ更に下層のＳＡＰ構造に流出することを可能にし、ＳＡＰ構造で液体がしっかりと保持されるので、乾燥度の知覚にとって特に重要である。それ故に、比較的液体のない上面が作り出され、乾燥度の知覚に貢献する。この細孔勾配も、流体が表面に逆流することを阻止する。
・不連続の結合パターンも、更に柔軟な複合材を作り出すことによって、柔らかさの知覚に貢献する。
【００９９】
吹き付け接着剤
接着剤は、複合材に追加の結合を提供するために使用でき、且つ不織布に対するＳＡＰの固着を支援するために使用できる。このことは、複合材の製造中に、複合材を組み込む使い捨ての吸収性物品のその後の更なる処理中に、且つ吸収性物品内で複合材の貯蔵及び最終的な使用中に必要とされる。理想的には、接着剤は、複合材の不織布ウェブの少なくとも１つに塗布されるか、又は接着剤は、上部及び下部不織布ウェブの両方に塗布できる。
【０１００】
適切な接着剤は、（Ｎｏｒｄｓｏｎ  Ｃｏｒｐｏｒａｔｉｏｎによって供給されるような）スロット塗装又は吹き付け塗装アプリケータによって塗布されるホットメルト接着剤を含む。好ましい実施形態において、接着剤は、吹き付け法によって塗布され、ホットメルト接着剤の連続したビードは、らせん形パターン、又は更に無作為なパターンのようなパターンに気流によって方向付けられる。図２２は、１つのかかるパターンを示す。らせんの直径は、１ｍｍ〜２５ｍｍの範囲にある。かかる吹き付けパターンの利点は、不織布ウェブ上の接着剤の範囲が均一でなく、且つ実質的に接着剤のない開放領域があることである。これらの開放領域は、不織布ウェブを通り、且つ超吸収性層への流体の流れに関して制限されないアクセスを提供し、他方で均一なコーティングは、ウェブを通る流体の流れの速度を落とすか、又は減少させ得る。
接着剤のある他の且つ種々の実施形態において、好ましい接着剤は、親水性である。更に、塗装内の接着剤の濃度は、１平方メートル当たり０．５〜１００グラムである。最適には、濃度は、１〜２５ＧＳＭである。好ましい実施形態において、濃度は、２〜１０ＧＳＭである。
【０１０１】
好ましい実施形態の可能な応用例を例示するために、図２６は、代替的な実施形態による吸収性の芯積層体８５０の分解組立図を提供する。吸収性の芯積層体８５０は、以前記載したように、予め塗布された接着パターン８２２を有するベース不織布層８１８を用いる。積層体８５０は、積層体８５０の横及び長手方向空間を実質的に占める離間したＳＡＰ凝集体の第１の層８１６も提供する。接着剤パターン８２２及びＳＡＰ凝集体は、以前に記載したように塗布しても良く、ＳＡＰは、ＳＡＰアプリケータによって送出され、且つ以前に記載したように、従来の真空システム等を用いて所望のポケットパターンに組織化される。この応用例において、第２のＳＡＰアプリケータは、すでに提供されたＳＡＰ凝集体の第１の層８１６を有するウェブの選択された領域にＳＡＰを堆積させるために、第１のＳＡＰアプリケータの下流に位置決めされても良い。追加のＳＡＰ構成要素、又はおそらくは最初に送出されたＳＡＰと異なる特性を有する吸収性材料を受けるように選択された領域は概して、使い捨ての吸収性物品が使用中である時に、クロッチ領域に対応する中心領域である。積層体８５０の機械方向が横方向と一致する工程において、ＳＡＰアプリケータは、第１のＳＡＰアプリケータよりも狭い吹き付け領域又はノズルを備えても良い。ＳＡＰが送出される領域は、それ故にＳＡＰ層８１６よりも狭くなる。機械方向が、長手方向と一致するならば、第２のＳＡＰアプリケータは、第２のＳＡＰアプリケータの下の中心領域の運動と位置合わせされる期間中にのみＳＡＰを送出するようにプログラミングされ得る。
【０１０２】
図２０Ａ及び図２０Ｂを参照すると、中央領域８５４内のポケット８１４は、吸収性の芯積層体８１２の長手方向端部領域８５６に近いポケット８１４内のＳＡＰ濃度よりも高いＳＡＰ凝集体又は濃度を含む。これら領域及び中心領域の中間で、中程度の濃度でＳＡＰを含むポケット８５７がある。これらのポケット８５７内のＳＡＰ濃度は、第２のＳＡＰアプリケータの範囲、及び場合により隣接ポケット間で過剰なＳＡＰを分け合うことによって決定できる。これらのポケット８５７は、ＳＡＰの高及び低容量、並びに吸収及び膨潤特性の間の段階的移行の役割を果たしても良く、且つ本明細書で論じたように（吸収性の芯にわたる）有益な流体の流れを生成し得る。
【０１０３】
再び図２６を参照すると、この実施形態は、ポケット内でＳＡＰを固着することに役立つ第２の接着パターン８６２を同様に備える。接着パターン８６２は、下部不織布に対する塗布に好ましい開放パターン８２２と同一であっても良く、且つ上部不織布８２６の結果として生じた積層体８５０への導入前に、上部不織布８２６に予め塗布される。結果として生じた構成において、この第２の接着パターン８６２は、上部不織布８２６に接触するか、又はほぼ接触するＳＡＰ凝集体の粒子を固着することに役立つ。嵩高い不織布が、上部不織布８２６として用いられるならば、接着剤は、ＳＡＰの絡み合いを促進することを含む、嵩高い不織布の繊維とＳＡＰ凝集体の上層領域内のＳＡＰを固着することに役立つ。図２６の積層体と同様に、２つの接着パターンが積層体設計で用いられる時に、各パターンで使用される接着剤の総量（例えば、ビードの厚さ、ループの寸法）が減少できることが、可能である。その上、結合点の数又は頻度も、減少できる。ポケット８１４内にＳＡＰを固着する種々の機構が、ＳＡＰに、且つ種々の観点から異なる作用をするが、共通の目的を達成するために、協働する。
【０１０４】
図２７は、吸収性の芯積層体及び／又は使い捨ての吸収性物品を製造する代表的な工程における後続の段階を例示する。別個の吸収性の芯積層体８７２のウェブ８７０は、機械方向と一致する横方向で運搬されて示される。積層体８７２は、砂時計形形状で調製されて示される。下部不織布へのＳＡＰの送出は、ＳＡＰのない領域８７４が、個別の吸収性の芯積層体の最終的な側部マージン８７６の近くに、又はそれに沿って存在するように提供される。更に、図２７に示すように、側部マージン８７６の中心の近くの幅広い領域８７８は同様に、レッグホールを受け入れる切断部に備えてＳＡＰがなく、且つ／又はクロッチ領域の周りで使用者に容易に適合する、又は受け入れることに役立つ好ましくは砂時計形状を単に製造する。このようにして、ＳＡＰ使用及び材料費が減少され得る。
いずれにせよ、ＳＡＰ凝集体の狭い領域又は層８５２は、第１の層８１６の上に、且つ選択された中心領域に堆積される。真空システムが、ＳＡＰの堆積物を標的領域に方向付けるように再び用いられ得る。このようにして、高い濃度のＳＡＰ凝集体が、発生する。
【０１０５】
概して、吸収性の芯積層体８１２は、一対の長手方向に離間した端部領域８５６及びその間の中心領域８５４によって延長される。吸収性の芯積層体は、「芯エンベロープ」８８０と称されるものの中で上部シート及び背面シートの間に位置する。断面図、図２０Ａ及び図２０Ｂも参照。図２０Ａは、芯エンベロープ８８０を横方向に横断する（即ち、横中心線ＸＸを横断する）断面図と記載されても良く、他方で図２０Ｂは、芯エンベロープ８８０を長手方向に横断する（即ち、長手方向中心線ＹＹを横断する）断面図である。吸収性の芯積層体８１２は、端部領域８５６の間に延在する側部マージンを有するとして記載されても良い。ＳＡＰ凝集体８１６のポケット８１４の配置は、側部マージン８１２の間に設定される。図面から判るように、配置は、吸収性の芯積層体８１２上のパターン又は格子を画定する。中心領域８５４の周りに、側部マージン８５６への一対の切り欠き８８２は、全体に長方形の積層体８１２における凹部を提供し、そのことは、中心領域８５４内のポケット８１４の数を減少させる。凹部は、吸収性の芯積層体８１２に対して全体に砂時計形状を生み出す。中心領域８５４は、一般に使い捨ての吸収性物品８６２のクロッチ領域に対応するので、吸収性積層体８１２の凹部、及び（上部シート及び背面シート材料よりも）比較的堅い芯材料の全体的な不存在は、使用中にクロッチ領域での吸収性物品８６２の変形を容易にし、且つ使用者の輪郭を受け入れることに役立つ。
【０１０６】
したがって、本開示は、目的を実行し、且つ目標及び言及された利点、並びにそれに固有な他のものを達成するために良く適合している。（おむつの形の）現在好ましい実施形態が記載されたが、構成、物品の部品又は構成要素の配置、及び工程へのステップの詳細に対する多数の変更がなされ得る。例えば、種々の上部シート、背面シート、吸収性の芯、閉じ込め壁及び他の吸収性複合材構造が、物品の他の部分に、又はおむつ以外の他の物品によって利用され得る。かかる変更は、当業者の心に容易に浮かび、且つ本発明の精神の中に、また添付の特許請求の範囲に包含される。
【０１０７】
本開示及びその利点が、詳細に記載されたが、種々の変更、置き換え及び改造が、添付の特許請求の範囲によって定義される本発明から逸脱せずに、本明細書でなされ得ることが理解されるべきである。更に、本出願の範囲は、明細書に記載された工程、機械、製造、事柄の組み立て、手段、方法及びステップの特定の実施形態に限定されることを意図しない。本開示から容易に認識するように、本明細書に記載された対応する実施形態と実質的に同じ機能を行うか、又は実質的に同じ結果を達成する、現存する、又は後に開発される工程、機械、製造、事柄の組み立て、手段、方法又はステップが、利用され得る。したがって、添付の請求項は、かかる工程、機械、製造、事柄の組み立て、手段、方法及びステップをその範囲内に含むことが意図される。
【図１】
2019181237.tif 000006
【図２】
2019181237.tif 000007
【図３】
2019181237.tif 000008
【図４】
2019181237.tif 000009
【図５】
2019181237.tif 000010
【図６−１】
2019181237.tif 000011
【図６−２】
2019181237.tif 000012
【図７】
2019181237.tif 000013
【図８】
2019181237.tif 000014
【図９】
2019181237.tif 000015
【図１０】
2019181237.tif 000016
【図１１】
2019181237.tif 000017
【図１２】
2019181237.tif 000018
【図１３】
2019181237.tif 000019
【図１４】
2019181237.tif 000020
【図１５Ａ】
2019181237.tif 000021
【図１５Ｂ】
2019181237.tif 000022
【図１５Ｃ】
2019181237.tif 000023
【図１５Ｄ】
2019181237.tif 000024
【図１６Ａ】
2019181237.tif 000025
【図１６Ｂ】
2019181237.tif 000026
【図１７Ａ−１７Ｂ】
2019181237.tif 000027
【図１７Ｃ−１７Ｄ】
2019181237.tif 000028
【図１８Ａ−１８Ｂ】
2019181237.tif 000029
【図１８Ｃ】
2019181237.tif 000030
【図１９】
2019181237.tif 000031
【図２０Ａ】
2019181237.tif 000032
【図２０Ｂ】
2019181237.tif 000033
【図２０Ｃ】
2019181237.tif 000034
【図２１】
2019181237.tif 000035
【図２２Ａ】
2019181237.tif 000036
【図２２Ｂ】
2019181237.tif 000037
【図２２Ｃ】
2019181237.tif 000038
【図２３】
2019181237.tif 000039
【図２４】
2019181237.tif 000040
【図２５】
2019181237.tif 000041
【図２６】
2019181237.tif 000042
【図２７】
2019181237.tif 000043
【図２８】
2019181237.tif 000044
【図２９】
2019181237.tif 000045
【図３０】
2019181237.tif 000046
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
嵩高い不織布基材と、
前記嵩高い不織布基材と結合された上部織物と、
その間に固着された超吸収性粒子（ＳＡＰ）の層であって、前記ＳＡＰを前記嵩高い不織布基材及び前記上部織物と相互に固着するために、前記ＳＡＰがちりばめられたホットメルト接着剤を含む層とを含む吸収性複合材。
【請求項２】
前記嵩高い不織布が、１，０００μｍ〜５，０００μｍの厚さと、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項１に記載の吸収性複合材。
【請求項３】
前記上部織物が、組織層である請求項１に記載の吸収性複合材。
【請求項４】
前記ＳＡＰが、前記嵩高い不織布基材及び前記上部織物の間の平面に沿って配置される請求項１に記載の吸収性複合材。
【請求項５】
前記嵩高い不織布基材及び前記上部織物の間の結合が、ＳＡＰを取り囲む幾何学的囲いの結合パターンを画定する請求項１に記載の吸収性複合材。
【請求項６】
吸収性複合材を製造する方法であって、
不織布材料の第１の基材を運搬すること、
ホットメルト接着剤粒子との超吸収性粒子（ＳＡＰ）の混合物を前記運搬された第１の基材に送出すること、
前記混合物を有する前記第１の基材が運搬される時、前記第１の基材に熱を加え、それによりホットメルト接着剤粒子を活性化し、且つ前記ＳＡＰを前記ホットメルト粒子及び前記第１の基材と結合すること、並びに
第２の基材を前記第１の基材及びそれと結合されたＳＡＰ層の上に適用することを含む方法。
【請求項７】
吸収性複合材積層体を製造するために、前記第１の基材を前記第２の基材と結合することを更に含む請求項６に記載の方法。
【請求項８】
前記吸収性複合材積層体上に結合パターンを作り出すために、前記結合が、熱エンボス加工を使用することを含む請求項７に記載の方法。
【請求項９】
前記第１の基材が、嵩高い不織布材料である請求項６に記載の方法。
【請求項１０】
前記嵩高い不織布が、１，０００μｍ〜５，０００μｍの厚さと、３０ｇ／ｍ2〜８０ｇ／ｍ2の坪量と、０．０２ｇ／ｃｃ〜０．０７ｇ／ｃｃの密度と、３００μｍを超える有効細孔径とを有する請求項９に記載の方法。
【請求項１１】
前記ホットメルト粒子及び前記ＳＡＰが、１〜１０質量％のホットメルト接着剤の比率で混合される請求項６に記載の方法。
【請求項１２】
前記第２の基材が、嵩高い不織布材料である請求項６に記載の方法。
【請求項１３】
使い捨ての吸収性物品へ組み込むための吸収性複合材であって、
前記吸収性複合材が、
第１の織物、
前記第１の織物に結合されている第２の織物、ここで、前記第１の織物が、前記第２の織物に、前記第１の織物及び前記第２の織物の間に位置する複数のポケットを画定する結合パターンにより結合し、かつ前記第１の織物または前記第２の織物が嵩高い不織布であり、及び
前記ポケット内に固着した吸収性粒子の凝集体であって、前記嵩高い不織布が、前記ポケット内に延在しかつ前記吸収性粒子の少なくとも幾つかを絡む繊維を含む凝集体、
を含む上記吸収性複合材。
【請求項１４】
前記第１の織物が嵩高い不織布であり、前記第２の織物が不織布であり、及び前記第１の織物が前記吸収性複合材のベース層である、請求項１３に記載の吸収性複合体。
【請求項１５】
前記第２の織物が嵩高い不織布であり、前記第１の織物が不織布であり、前記第２の織物が前記吸収性複合材の上層である、請求項１３に記載の吸収性複合体。
【請求項１６】
使い捨て吸収性物品であって、前記物品が、
第１の端部マージン及び前記第１の端部マージンから長手方向に離間される第２の端部マージンによって画定されるシャーシ本体であって、前記第１及び第２の端部マージンが、使用者のウエストの周りで締め付け可能な前及び後ウエスト領域を部分的に画定するシャーシ本体、
上部シート
背面シート、ここで前記上部シートと前記背面シートは前記シャーシ本体の長手方向及び横方向のマージンを画定する、及び
前記上部シートと前記背面シートとの間に配置された積層された吸収性複合材、
を含み、前記吸収性複合材が、
第１の織物、
前記第１の織物に結合されている第２の織物、
を含み、ここで
前記第１の織物が、前記第２の織物に結合パターンにより取り付けられて、前記第１の織物及び前記第２の織物の間にそれぞれ位置し、かつ吸収性粒子の凝集体を含んでいる複数のポケットを画定し、及び
前記第１の織物が、前記第２の織物にエンボス加工されており、前記結合パターンがエンボス加工ラインによって形成されて、前記積層された吸収性複合材を形成しており、ここで、前記ポケットが、前記第１の織物を前記第２の織物に係合させるエンボス加工ラインにより確定される周囲長を有し、かつ前記第１の織物または第２の織物は嵩高い不織布であり、及び
前記吸収性粒子の凝集体は、前記第１及び第２の織物の間のポケット内に固定されており、前記嵩高い不織布は、前記凝集体中の少なくともいくつかの吸収性粒子を絡み合わせる繊維を含み、前記嵩高い不織布は、前記吸収性粒子の移動を阻害し、及び
各前記凝集体は、吸収性マトリックスを含まないパルプ無し凝集体である、
上記使い捨て吸収性物品。
【請求項１７】
前記エンボス加工ラインは、前記吸収性複合材の中心領域から前記吸収性複合材の側部マージンまで直線を形成せず、及び
前記結合パターンは、前記吸収性複合材の中心領域から前記吸収性複合材の側部マージンまで直接的な流体チャネルを含まない、
請求項１６に記載の使い捨て吸収性物品。
【請求項１８】
周囲の間に配置された空間がＳＡＰを含む、請求項１６に記載の使い捨て吸収性物品。
【請求項１９】
周囲の間に配置された空間がＳＡＰを含まない、請求項１６に記載の使い捨て吸収性物品。
【請求項２０】
前記第１の織物が嵩高い不織布であり、前記第１の織物が前記吸収性複合材のベース層である、請求項１６に記載の使い捨て吸収性物品。
【請求項２１】
前記第２の織物が嵩高い不織布であり、前記第２の織物が前記吸収性複合材の上層である、請求項１６に記載の使い捨て吸収性物品。
【請求項２２】
前記結合パターンが、前記吸収性複合材の中心領域に集中した複数のより大きなポケットと、前記より大きなポケットに隣接した、前記吸収性複合材料のマージンにより近い位置にあるより小さなポケットとを形成し、及び
エンボス加工ラインを、前記嵩高い不織布に適用し、及び
前記より大きいポケットの嵩高い不織布表面が、前記より小さいポケットの嵩高い不織布表面よりも低い毛管現象を示し、それによって毛管現象勾配が生じる、請求項１６に記載の使い捨て吸収性物品。
【請求項２３】
吸収性複合材を形成する方法であって、以下：
嵩高い不織布のシートまたはウェブを含む第１の織物上にＳＡＰを塗布する工程、ここで、前記ＳＡＰは、嵩高い不織布の繊維状ネットワークに進入する、及び
各ポケットが超吸収性粒子のパルプ無し凝集体を含む複数のポケットを有する積層された吸収性複合材を形成するエンボス結合パターンを有するエンボス加工を使用して第２の織物を第１の織物に積層する工程、それにより、エンボス加工ラインが離間して交差して結合パターンをその上に形成し、嵩高い不織布へ適用され、それにより、前記嵩高い不織布の繊維が前記凝集体中の少なくともいくつかの粒子を絡み合わせ、及び前記エンボス加工が、エンボス加工時にエンボス加工部位間の嵩高い不織布の繊維間距離を増大させる、
ことを含む、上記方法。
【請求項２４】
前記繊維状ネットワークへの前記ＳＡＰの進入を増強するために真空または振動を使用する工程をさらに含み、及び
熱エンボス加工を使用した前記積層が、異なる空間で結合部位を離間させて、異なるサイズのポケットを形成する工程を含む、
請求項２３に記載の方法。
【請求項２５】
吸収性複合材を形成する方法であって、
粉末状ホットメルト接着剤を、吸収性マトリックスを含まないＳＡＰと混合する工程、
エンボス加工を使用して２つの不織ウェブを積層して、各ポケットが超吸収性粒子のパルプ無し凝集体を含む複数のポケットを有する積層された吸収性複合材料を形成する工程、それにより、エンボス加工線が離間しかつ交差して結合パターンを形成し、前記積層が、ＳＡＰとホットメルト接着剤の混合物を、前記凝集体がＳＡＰと前記接着剤を含むように分配し、及び
前記ホットメルト接着剤を活性化する工程、ここで前記ホットメルト接着剤は前記ＳＡＰと不織ウェブとを一緒に結合し、及び
２つの不織ウェブの一方は嵩高い不織布であり、及び
前記凝集体は２つの不織ウェブ間のポケットに固着されて移動が阻害され、それにより、前記嵩高い不織布の繊維が前記凝集体中の少なくとも一部のＳＡＰを絡み合わせ、粒子の移動を阻害する、
上記方法。
【請求項２６】
２つの不織ウェブ間にＳＡＰとホットメルト接着剤との混合物を分配することが、２つの不織ウェブのうちの第１ウェブの上に混合物を均一に堆積し、次に２つの不織ウェブのうちの第２ウェブを、２つの不織ウェブのうちの第１ウェブの上に積層することを含み、
前記混合物を２つの不織ウェブのうちの第１ウェブの上に堆積させた後で、かつ、前記２つの不織ウェブの第２ウェブを２つの不織ウェブのうちの第１ウェブの上に重ねる前に、前記ホットメルト接着剤の活性化を行う、
請求項２５に記載の方法。
【請求項２７】
前記エンボス加工が異なるサイズのポケットを形成し、前記ポケットが、第１のポケットが第２のポケットよりも大きく、かつ嵩高い不織布表面で前記第２ポケットよりも低い毛管現象を示す隣接ポケットを含む、請求項２５に記載の方法。
【請求項２８】
使い捨て吸収性物品に組み込むための吸収性複合材であって、前記吸収性複合材が、
第１の織物、
前記第１の織物に接着された第２の織物、ここで前記第１の織物または前記第２の織物が嵩高い不織布であり、及び
前記第１の織物と第２の織物との間に固定された吸収性粒子の凝集体であって、前記嵩高い不織布は、前記吸収性粒子の少なくとも一部を絡み合わせる繊維、
を含む、上記吸収性複合材。
【請求項２９】
前記第１の織物が嵩高い不織布であり、前記第２の織物が不織布であり、前記第１の織物が前記吸収性複合材のベース層である、請求項２８に記載の吸収性複合材。
【請求項３０】
前記第２の織物が嵩高い不織布であり、前記第１の織物が不織布であり、前記第２の織物が前記吸収性複合材の上層である、請求項２８に記載の吸収性複合材。
【外国語明細書】
2019181237000001.pdf